(57)【要約】採血構成及びＥＳＲ測定構成を有する赤血球沈降速度（ＥＳＲ）の測定計器（１）である。ＥＳＲ測定計器（１）は、自身内に所定量の血液試料希釈剤を含む中空内側容積部を有し、周囲環境に対して空気又は流体密封された沈殿測定管（９）と、所定量の抗凝固薬を含む中空内側容積部を有し、周囲環境に対して真空密封された採血管（２）とを含み、採血管（２）の中空内側容積部の一部に挿入されている沈殿測定管（９）の少なくとも一部によって、空気密封した沈殿測定管（９）に物理的に結合される。沈殿測定管（９）及び採血管（２）は、ＥＳＲ測定計器（１）が採血構成内に配置されている場合、注射器様形状要素を有する単体組立体として相互に対して静止状態で固定して維持される。
2006520907.tif 000002
【特許請求の範囲】
【請求項１】
赤血球沈降速度（ＥＳＲ）測定計器であって、採血構成及びＥＳＲ測定構成を有するＥＳＲ測定計器において、
所定量の血液試料希釈剤を含み、周囲環境に対して空気又は流体密封される中空内側容積部を有する、沈殿測定管と、
所定量の抗凝固薬を含み、周囲環境に対して真空密封された中空内側容積部を有する採血管であって、当該採血管の前記中空内側容積部の一部に挿入される前記沈殿測定管の少なくとも一部によって、空気密封された前記沈殿測定管に物理的に結合される、採血管とを備えており、
前記ＥＳＲ測定計器を前記採血構成内に配置する場合に、前記沈殿測定管及び前記採血管は、注射器様形状要素を有する一体的な組立体として相互に対して静止し固定した状態で維持され、その間に、針支持接続具を前記採血管に接続でき、患者からの全血の試料を真空で引き抜いて、前記採血管に注入でき、
凝固防止された血液試料を前記採血管に採取し、前記針支持接続具を前記採血管から分離した後、前記沈殿測定管の空気又は流体シールを破壊し、次に前記ＥＳＲ測定計器を前記ＥＳＲ測定構成内に再配置するように、片手作業を用いて、前記沈殿測定管を前記採血管の中空内側容積部の底部に手動で押し込むことができ、
それによって、前記凝固防止された血液試料が前記沈殿測定管の有意の部分を充填して、前記血液試料希釈剤と混合し、前記ＥＳＲ測定計器が重力的に垂直な姿勢に配置される所定の期間中に、前記沈殿測定管内の血漿／赤血球（Ｐ／Ｅ）境界面レベルを、前記採血管に向かって下方向に沈殿させることができ、その結果、前記所定の期間中に、前記沈殿測定管の縦に沿って形成された目盛りマークに対して、前記Ｐ／Ｅ境界面レベルがどこまで移動したかを求めることにより、前記採血試料の前記赤血球沈降速度（ＥＳＲ）を測定できる、ＥＳＲ測定計器。
【請求項２】
前記採血管は、
（ｉ）採血作業中に人間の全血試料を受け取るために、所定の内径で円筒形の中空内側容積部と、
（ｉｉ）針で穿孔可能なゴムキャップを把持するために、前記採血管の外端表面の周囲に突出する一対の低起伏フランジであって、前記ゴムキャップは、薄い方の壁部分及び厚い自己密封端部分を備えており、前記薄い方の壁部分及び前記厚い自己密封端部分は、組立中に前記採血管の前記低起伏フランジ及び前記外端部分にスナップ嵌めされる、一対の低起伏フランジと、
（ｉｉｉ）前記沈殿測定管を親指で前記採血管に押し込む人の指と嵌合するために、その反対端で前記採血管の外端から突出する、大環状フランジとを有する、請求項１に記載のＥＳＲ測定計器。
【請求項３】
前記沈殿測定管は、
（ｉ）所定の直径であって、前記採血管の中空内側容積部の内径よりわずかに小さい外径の中空中心孔と、
（ｉｉ）本発明のＥＳＲ測定方法に従って全血試料のＥＳＲを示すために、前記沈殿測定管の外面に沿って形成される一連の目盛りマークと、
（ｉｉｉ）ゴムプランジャを保持するために、前記沈殿測定管の反対端から突出する複数の低起伏プランジャの把持フランジであって、前記ゴムプランジャは、閉じた端部が薄い破断可能な壁膜で境界を区切られた中空内側容積部を有し、前記沈殿測定管の自由端上で摺動し、且つ前記沈殿測定管から突出する前記把持フランジに嵌合する外壁表面を有する、把持フランジとを備える、請求項１に記載のＥＳＲ測定計器。
【請求項４】
前記ＥＳＲ測定計器を前記ＥＳＲ測定構成内に再配置した場合に、前記沈殿測定管を前記採血管に押し込む人の親指と嵌合するために、前記沈殿測定管は、前記ゴムプランジャの反対側の端部で、前記沈殿測定管の外端から突出する大環状フランジを有する、請求項３に記載のＥＳＲ測定計器。
【請求項５】
前記ＥＳＲ測定計器を前記採血構成内に配置する間に、周囲環境及び前記中空中心孔の内部からの空気の流れを制限又は閉塞するように、前記沈殿測定管の上端部分に空気又は流体流制限プラグを挿入可能である、請求項３に記載のＥＳＲ測定計器。
【請求項６】
前記沈殿測定管の外壁と前記採血管の内壁との間に液体シールを生成するために、前記プランジャの前記把持フランジ上で摺動可能なゴムワッシャを、前記ゴムプランジャより先に、前記沈殿測定管の端部に取り付ける、請求項３に記載のＥＳＲ測定計器。
【請求項７】
前記ＥＳＲ測定計器を前記採血構成内に配置する間に、真空密封した前記採血管に所定量の抗凝固薬を含みながら、前記採血管の上部分に挿入された前記沈殿測定管のプランジャ部分を保持し、これらの管を相互に対して静止位置に維持するために、管保持具兼制限組立体が提供される、請求項１に記載のＥＳＲ測定計器。
【請求項８】
単体となる構造を有するＥＳＲ測定計器を使用するＥＳＲ測定方法であって、
（ａ）採血管と結合するゴムキャップを通して採血装置の針を挿入する工程であって、前記採血管は、真空で密封され、前記採血管の中空内側容積部内に所定量の抗凝固薬を含み、さらに、空気又は流体に対して密封され所定量の血液試料希釈剤を含む沈殿測定管と一体化されており、前記採血管の内側容積部と前記沈殿測定管の内側容積部との間に液体シールが配置される、採血装置の針を挿入する工程と、
（ｂ）全血試料を患者の体内から引き抜き、前記試料を前記針に通して前記採血管内に採取する、引き抜き採取する工程であって、前記採取した全血試料は、前記採血管内で前記所定量の抗凝固薬と混合される、引き抜き採取する工程と、
（ｃ）前記針を前記採血器具から引き出す工程と、
（ｄ）前記沈殿測定器具の空気又は流体シールを破壊する工程と、
（ｅ）前記沈殿測定管を前記採血管の中空内側容積部に手動で押し込むことによって、前記沈殿測定管と前記採血管との間の前記液体シールを破壊する工程とを含んでおり、
それによって、凝固防止された血液試料が前記沈殿測定管の有意の部分を充填し、前記所定量の血液試料希釈剤と混合し、
これによって、所定の期間中に前記ＥＳＲ測定計器を重力垂直方向にて支持している場合に、前記沈殿測定管内の血漿／赤血球（Ｐ／Ｅ）境界面レベルが、前記所定の期間にわたって前記採血管に向かって沈殿でき、その結果、前記所定の期間中に、前記沈殿測定管の縦に沿って形成された目盛りマークに対して、前記Ｐ／Ｅ境界面レベルがどこまで移動するかを求めることにより、前記採取された血液試料の赤血球沈降速度（ＥＳＲ）を測定できる、ＥＳＲ測定方法。
【請求項９】
注射器様形状要素及び単体となる構造を有するＥＳＲ測定計器を使用するＥＳＲ測定方法において、
（ａ）採血管と結合するゴムキャップを通して採血装置の針を挿入する工程であって、前記採血管は、真空で密封され、前記採血管の中空内側容積部内に所定量の抗凝固薬を含み、さらに、空気又は流体に対して密封され所定量の血液試料希釈剤を含む沈殿測定管と一体化されており、前記採血管の内側容積部と前記沈殿測定管の内側容積部との間に液体シールが配置される、針を挿入する工程と、
（ｂ）全血試料を患者の体内から引き抜き、前記試料を前記針に通して前記採血管内に採取する、引き抜き採取する工程であって、前記採取した全血試料は、前記採血管内で前記所定量の抗凝固薬と混合する、引き抜き採取する工程と、
（ｃ）前記針を前記採血器具から引き出す工程と、
（ｄ）前記沈殿測定器具の空気又は流体シールを破壊する工程と、
（ｅ）注射器様計器のように前記ＥＳＲ計器を取り扱って、前記沈殿測定管を前記採血管の前記中空内側容積部に手動で押し込むことによって、前記沈殿測定管と前記採血管との間の前記液体シールを破壊する工程とを含んでおり、
それによって,凝固防止された血液試料が前記沈殿測定管の有意の部分を充填し、前記所定量の血液試料希釈剤と混合し、
これによって、所定の期間中に前記ＥＳＲ測定計器を重力垂直方向にて支持している場合に、前記沈殿測定管内の血漿／赤血球（Ｐ／Ｅ）境界面レベルが、前記所定の期間にわたって前記採血管に向かって沈殿でき、その結果、前記所定の期間中に、前記沈殿測定管の縦に沿って形成された目盛りマークに対して、前記Ｐ／Ｅ境界面レベルがどこまで移動するかを求めることにより、前記採取された血液試料の赤血球沈降速度（ＥＳＲ）が測定される、ＥＳＲ測定方法。
【請求項１０】
採血構成及びＥＳＲ測定構成を有する赤血球沈降速度（ＥＳＲ）測定計器であって、
中空内側容積部を有する沈殿測定管と、
中空内側容積部を有する採血管であって、当該採血管の前記中空内側容積部内に所定量の抗凝固薬及び所定量の血液試料希釈剤を含み、前記採血管の前記中空内側容積部の一部に挿入される前記沈殿測定管の少なくとも一部によって、前記沈殿測定管に物理的に結合される、採血管とを備えており、
前記ＥＳＲ測定計器を前記採血構成内に配置する場合に、前記沈殿測定管及び前記採血管は、注射器様形状要素を有する一体的な組立体として相互に対して静止し固定した状態で維持され、その間に、針支持接続具が前記採血管に接続され、全血の試料が患者から真空で引き抜かれ且つ前記採血管に注入され、
前記全血試料が前記採血管に採取され、前記抗凝固薬及び前記所定量の血液試料希釈剤と混合された後、前記針支持接続具が前記採血管から分離され、前記ＥＳＲ測定計器を前記ＥＳＲ測定構成内に再配置するように、片手作業を用いて、前記沈殿測定管を前記採血管の前記中空内側容積部の底部に押し込むことができ、
それによって、前記ＥＳＲ測定計器が重力的に垂直な姿勢に配置される所定の期間中に、前記凝固防止された血液試料が前記沈殿測定管の有意の部分を充填して、前記沈殿測定管内の血漿／赤血球（Ｐ／Ｅ）境界面レベルが、前記採血管に向かって下方向に沈殿でき、その結果、前記所定の期間中に、前記沈殿測定管の縦に沿って形成された目盛りマークに対して、前記Ｐ／Ｅ境界面レベルがどこまで移動したかを求めることにより、前記採血試料の赤血球沈降速度（ＥＳＲ）を測定できる、ＥＳＲ測定計器。
【請求項１１】
前記採血管は、
（ｉ）採血作業中に人間の全血試料を受け取るために、所定の内径で円筒形の中空内側容積部と、
（ｉｉ）針で穿孔可能なゴムキャップを把持するために、前記採血管の外端表面の周囲に突出する一対の低起伏フランジであって、前記ゴムキャップは、薄い方の壁部分及び厚い自己密封端部分を備えており、前記薄い方の壁部分及び前記厚い自己密封端部分は、組立中に前記採血管の前記低起伏フランジ及び前記外端部分にスナップ嵌めされる、一対の低起伏フランジと、
（ｉｉｉ）前記沈殿測定管を親指で前記採血管に押し込む人の指と嵌合するために、その反対端で前記採血管の外端から突出する、大環状フランジとを有する、請求項１０に記載のＥＳＲ測定計器。
【請求項１２】
前記沈殿測定管は、
（ｉ）所定の直径であって、前記採血管の中空内側容積部の内径よりわずかに小さい外径の中空中心孔と、
（ｉｉ）本発明のＥＳＲ測定方法に従って全血試料のＥＳＲを示すために、前記沈殿測定管の外面に沿って形成される一連の目盛りマークと、
（ｉｉｉ）前記沈殿測定管の反対端から突出する複数の低起伏プランジャの把持フランジであって、前記把持フランジはゴムプランジャを保持するためにあり、前記ゴムプランジャは、閉じた端部が薄い破断可能な壁膜で境界を区切られた中空内側容積部を有し、前記沈殿測定管の自由端上で摺動し、且つ前記沈殿測定管から突出する前記把持フランジに嵌合する外壁表面を有する、把持フランジとを備える、請求項１０に記載のＥＳＲ測定計器。
【請求項１３】
前記ＥＳＲ測定計器をそのＥＳＲ測定構成内に再配置した場合に、前記沈殿測定管を前記採血管に押し込む人の親指と嵌合するために、前記沈殿測定管は、前記ゴムプランジャの反対側の端部で、前記沈殿測定管の外端から突出する大環状フランジを有する、請求項１２に記載のＥＳＲ測定計器。
【請求項１４】
前記沈殿測定管の外壁と採血管の内壁との間に液体シールを生成するために、前記プランジャの前記把持フランジ上で摺動可能なゴムワッシャを、前記ゴムプランジャより先に、前記沈殿測定管の端部に取り付ける、請求項１２に記載のＥＳＲ測定計器。
【請求項１５】
前記ＥＳＲ測定計器を前記採血構成内に配置する間に、真空密封した前記採血管に少量の抗凝固薬を含みながら、前記採血管の上部分に挿入された前記沈殿測定管のプランジャ部分を保持し、これらの管を相互に対して静止位置に維持するために、管保持具兼制限組立体が提供される、請求項１０に記載のＥＳＲ測定計器。
【請求項１６】
単体となる構造を有するＥＳＲ測定計器を使用するＥＳＲ測定方法であって、
（ａ）採血管と結合するゴムキャップを通して採血装置の針を挿入する工程であって、前記採血管は、真空で密封され、前記採血管の中空内側容積部内に所定量の抗凝固薬及び所定量の血液希釈剤を含み、さらに、沈殿測定管と一体化され、前記採血管の内側容積部と前記沈殿測定管の間に液体シールが配置される、針を挿入する工程と、
（ｂ）全血試料を患者の体内から引き抜き、前記試料を前記針に通して前記採血管内に採取する、引き抜き採取する工程であって、前記採取した全血試料は、前記採血管内で前記所定量の抗凝固薬及び前記所定量の血液希釈剤と混合される、引き抜き採取する工程と、
（ｃ）前記針を前記採血器具から引き出す工程と、
（ｄ）前記沈殿測定管を前記採血管の前記中空内側容積部に手動で押し込むことによって、前記沈殿測定器具と前記採血管との間の前記液体シールを破壊する工程とを含み、
それによって、前記凝固防止された血液試料が前記沈殿測定管の有意の部分を充填し、
これによって、所定の期間中に前記ＥＳＲ測定計器を重力垂直方向にて支持している場合に、前記沈殿測定管内の血漿／赤血球（Ｐ／Ｅ）境界面レベルが、前記所定の期間にわたって前記採血管に向かって沈殿でき、その結果、前記所定の期間中に、前記沈殿測定管の縦に沿って形成された目盛りマークに対して、前記Ｐ／Ｅ境界面レベルがどこまで移動するかを求めることにより、前記採取された血液試料の赤血球沈降速度（ＥＳＲ）を測定できる、ＥＳＲ測定方法。
【請求項１７】
注射器様形状要素及び単体となる構造を有するＥＳＲ測定計器を使用するＥＳＲ測定方法であって、
（ａ）採血管と結合するゴムキャップを通して採血装置の針を挿入する工程であって、前記採血管は、真空で密封され、前記採血管の中空内側容積部内に所定量の抗凝固薬及び所定量の血液希釈剤を含み、さらに、沈殿測定管と一体化され、前記採血管の内側容積部と前記沈殿測定管との間に液体シールが配置される、針を挿入する工程と、
（ｂ）全血試料を患者の体内から引き抜き、前記試料を前記針に通して前記採血管内に採取する、引き抜き採取する工程であって、前記採取した全血試料は、前記採血管内で前記所定量の抗凝固薬及び前記所定量の血液希釈剤と混合される、引き抜き採取する工程と、
（ｃ）前記針を前記採血器具から引き出す工程と、
（ｄ）前記ＥＳＲ計器を注射器様計器のように取り扱って、前記沈殿測定管を前記採血管の前記中空内側容積部に手動で押し込むことによって、前記沈殿測定管と前記採血管との間の前記液体シールを破壊する工程とを含んでおり、
それによって、前記凝固防止された血液試料が前記沈殿測定管の有意の部分を充填し、
これによって、所定の期間中に前記ＥＳＲ測定計器を重力垂直方向にて支持している場合に、前記沈殿測定管内の血漿／赤血球（Ｐ／Ｅ）境界面レベルが、前記所定の期間にわたって前記採血管に向かって沈殿でき、その結果、前記所定の期間中に、前記沈殿測定管の縦に沿って形成された目盛りマークに対して、前記Ｐ／Ｅ境界面レベルがどこまで移動するかを求めることにより、前記採取された血液試料の赤血球沈降速度（ＥＳＲ）を測定できる、ＥＳＲ測定方法。
【請求項１８】
採血構成及び赤血球沈降速度（ＥＳＲ）測定構成を有するＥＳＲ測定計器であって、
中空内側容積部を有する沈殿測定管と、
中空内側容積部を有する採血管であって、所定量の抗凝固薬を含み、周囲環境に対して真空密封され、前記採血管の前記中空内側容積部の部分に挿入される前記沈殿測定管の少なくとも一部によって、前記沈殿測定管に物理的に結合される、採血管とを備えており、
前記ＥＳＲ測定計器を前記採血構成内に配置する場合に、前記沈殿測定管及び前記採血管は、注射器様形状要素を有する一体的な組立体として相互に対して静止し固定した状態で維持され、その間に、針支持接続具を前記採血管に接続でき、患者からの全血の試料を真空で引き抜いて、前記採血管に注入でき、
前記凝固防止された血液試料を前記採血管に採取し、前記針支持接続具を前記採血管から分離した後、前記ＥＳＲ測定計器を前記ＥＳＲ測定構成内に再配置するように、片手作業を用いて、前記沈殿測定管を前記採血管の中空内側容積部の底部に押し込むことができ、
前記ＥＳＲ測定計器が重力的に垂直な姿勢に配置される所定の期間中に、前記凝固防止された血液試料が前記沈殿測定管の有意の部分を充填して、前記沈殿測定管内の血漿／赤血球（Ｐ／Ｅ）境界面レベルが、前記採血管に向かって下方向に沈殿でき、その結果、前記所定の期間中に、前記沈殿測定管の縦に沿って形成された目盛りマークに対して、前記Ｐ／Ｅ境界面レベルがどこまで移動したかを求めることにより、前記採血試料の赤血球沈降速度（ＥＳＲ）を測定できる、ＥＳＲ測定計器。
【請求項１９】
前記採血管は、
（ｉ）採血作業中に人間の全血試料を受け取るために、所定の内径で円筒形の中空内側容積部と、
（ｉｉ）針で穿孔可能なゴムキャップを把持するために、前記採血管の外端表面の周囲に突出する一対の低起伏フランジであって、前記ゴムキャップは、薄い方の壁部分及び厚い自己密封端部分を備えており、前記薄い方の壁部分及び前記厚い自己密封端部分は、組立中に前記採血管の前記低起伏フランジ及び前記外端部分にスナップ嵌めされる、一対の低起伏フランジと、
（ｉｉｉ）前記沈殿測定管を親指で前記採血管に押し込む人の指と嵌合するために、その反対端で前記採血管の外端から突出する、大環状フランジとを有する、請求項１８に記載のＥＳＲ測定計器。
【請求項２０】
前記沈殿測定管は、
（ｉ）所定の直径であって、前記採血管の中空内側容積部の内径よりわずかに小さい外径の中空中心孔と、
（ｉｉ）本発明のＥＳＲ測定方法に従って全血試料のＥＳＲを示すために、前記沈殿測定管の外面に沿って形成される一連の目盛りマークと、
（ｉｉｉ）前記沈殿測定管の反対端から突出する複数の低起伏プランジャの把持フランジであって、前記把持フランジはゴムプランジャを保持するためにあり、前記ゴムプランジャは、閉じた端部が薄い破断可能な壁膜で境界を区切られた中空内側容積部を有し、前記沈殿測定管の自由端上で摺動し、且つ前記沈殿測定管から突出する前記把持フランジに嵌合する外壁表面を有する、把持フランジとを備える、請求項１８に記載のＥＳＲ測定計器。
【請求項２１】
前記ＥＳＲ測定計器をそのＥＳＲ測定構成内に再配置した場合に、前記沈殿測定管を前記採血管に押し込む人の親指と嵌合するために、前記沈殿測定管は、前記ゴムプランジャの反対側の端部で、前記沈殿測定管の外端から突出する大環状フランジを有する、請求項２０に記載のＥＳＲ測定計器。
【請求項２２】
前記沈殿測定管の外壁と前記採血管の内壁との間に液体シールを生成するために、前記プランジャの前記把持フランジ上で摺動可能なゴムワッシャを、前記ゴムプランジャより先に、前記沈殿測定管の端部に取り付ける、請求項２０に記載のＥＳＲ測定計器。
【請求項２３】
前記ＥＳＲ測定計器を前記採血構成内に配置する間に、真空密封した前記採血管に所定量の抗凝固薬を含みながら、前記採血管の上部分に挿入された前記沈殿測定管のプランジャ部分を保持して、これらの管を相互に対して静止位置に維持するために、管保持具兼制限組立体が提供される、請求項１８に記載のＥＳＲ測定計器。
【請求項２４】
単体となる構造を有するＥＳＲ測定計器を使用するＥＳＲ測定方法であって、
（ａ）採血管と結合するゴムキャップを通して採血装置の針を挿入する工程であって、前記採血管は、真空で密封され、前記採血管の中空内側容積部内に所定量の抗凝固薬を含み、さらに、沈殿測定管と一体化され、前記採血管の前記内側容積部と前記沈殿測定管との間に液体シールが配置される、針を挿入する工程と、
（ｂ）全血試料を患者の体内から引き抜き、前記試料を前記針に通して前記採血管内に採取する、引き抜き採取する工程であって、前記採取した全血試料は、前記採血管内で前記所定量の抗凝固薬と混合される、引き抜き採取する工程と、
（ｃ）前記針を前記採血器具から引き出す工程と、
（ｄ）前記沈殿測定管を前記採血管の中空内側容積部に手動で押し込むことによって、前記沈殿測定管と前記採血管との間の前記液体シールを破壊する工程とを含んでおり、
それによって、前記凝固防止された血液試料が前記沈殿測定管の有意の部分を充填し、
これによって、所定の期間中に前記ＥＳＲ測定計器を重力垂直方向にて支持している場合に、前記沈殿測定管内の血漿／赤血球（Ｐ／Ｅ）境界面レベルが、前記所定の期間にわたって前記採血管に向かって沈殿でき、その結果、前記所定の期間中に、前記沈殿測定管の縦に沿って形成された目盛りマークに対して、前記Ｐ／Ｅ境界面レベルがどこまで移動するかを求めることにより、前記採取された血液試料の赤血球沈降速度（ＥＳＲ）を測定できる、ＥＳＲ測定方法。
【請求項２５】
注射器様形状要素及び単体となる構造を有するＥＳＲ測定計器を使用するＥＳＲ測定方法であって、
（ａ）採血管と結合するゴムキャップを通して採血装置の針を挿入する工程であって、前記採血管は、真空で密封され、前記採血管の中空内側容積部内に所定量の抗凝固薬を含み、さらに、沈殿測定管と一体化され、前記採血管の内側容積部と前記沈殿測定管との間に液体シールが配置される、針を挿入する工程と、
（ｂ）全血試料を患者の体内から引き抜き、前記試料を前記針に通して前記採血管内に採取する、引き抜き採取する工程であって、前記採取した全血試料が、前記採血管内で前記所定量の抗凝固薬と混合される、引き抜き採取する工程と、
（ｃ）前記針を前記採血器具から引き出す工程と、
（ｄ）前記ＥＳＲ計器を注射器様計器のように扱い、前記沈殿測定管を前記採血管の中空内側容積部へと手動で押し込むことによって、前記沈殿測定管と前記採血管との間に前記液体シールを破壊する工程とを含んでおり、
それによって、前記凝固防止された血液試料が前記沈殿測定管の有意の部分を充填し、
これによって、所定の期間中に前記ＥＳＲ測定計器を重力垂直方向にて支持している場合に、前記沈殿測定管内の血漿／赤血球（Ｐ／Ｅ）境界面レベルが、前記所定の期間にわたって前記採血管に向かって沈殿でき、その結果、前記所定の期間中に、前記沈殿測定管の縦に沿って形成された目盛りマークに対して、前記Ｐ／Ｅ境界面レベルがどこまで移動するかを求めることにより、前記採取された血液試料の赤血球沈降速度（ＥＳＲ）を測定できる、ＥＳＲ測定方法。
【請求項２６】
全血試料中の赤血球沈降速度（ＥＳＲ）を測定する装置であって、注射器様形状要素を有する使い捨てＥＳＲ試験測定計器、及び一体構造を備える、装置。
【請求項２７】
採血構成及びＥＳＲ測定構成を有する、ＥＳＲ測定計器。
【請求項２８】
前記採血構成中に、血液希釈剤（つまり希釈剤）を含む空気又は流体密封沈殿測定管が、凝固防止剤（つまり抗凝固薬）を含む真空密封採血管に結合され、その結果、このような密封された複数の管が、単一の組立体として相互に対して静止状態で固定され、前記ＥＳＲ測定計器が前記採血構成内に配置された場合に、ルアータイプの接続具が次いで前記真空密封採血管に接続され、全血の試料が、患者から引き抜かれ、さらに前記ＥＳＲ測定計器の前記採血管に注入される、請求項２７に記載のＥＳＲ測定計器。
【請求項２９】
前記凝固防止された血液試料を密封した採血容器内に採取し、前記ルアータイプ接続具を前記採血容器から切り離して、前記沈殿測定管の空気シールを破壊し、次いで前記ＥＳＲ測定計器をそのＥＳＲ測定構成内に再配置するように、片手作業を用いて、前記沈殿測定管を前記採血管の底部に押し込み、
それによって、前記２本の管の間の液体シールが破壊され、前記凝固防止された採血試料が、前記沈殿測定管に含まれる生理学的及びＮａＣｌ溶液と混合して、その有意の部分を前記希釈した血液試料で充填し、前記ＥＳＲ測定計器を重力垂直位置に配置される所定の試験期間の間に、前記希釈された凝固防止血液試料の血漿／赤血球（Ｐ／Ｅ）境界面レベルが、測定可能な距離だけ前記採血管に向かって下方向に沈殿できる、請求項２８に記載のＥＳＲ測定計器。
【請求項３０】
前記採血管は、
（ｉ）採血作業中に前記人間の全血試料を受け取るために、所定の内径で円筒形の中空内部容積部と、
（ｉｉ）針で穿孔可能なゴムキャップを把持するために、前記採血管の外端表面の周囲に突出する一対の低起伏フランジであって、前記ゴムキャップは、薄い方の壁部分及び厚い自己密封端部分を備えており、前記薄い方の壁部分及び前記厚い自己密封端部分は、組立中に前記採血管の前記低起伏フランジと外端部分にスナップ嵌めされる、一対の低起伏フランジと、
（ｉｉｉ）前記沈殿測定管を親指で前記採血管に押し込む人の指と嵌合するために、その反対端で前記採血管の外端から突出する、大環状フランジとを有する、請求項２８に記載のＥＳＲ測定計器。
【請求項３１】
前記沈殿測定管は、
（ｉ）所定の直径であって、前記採血管の中空内側容積部の内径よりわずかに小さい外径の中空中心孔と、
（ｉｉ）本発明のＥＳＲ測定方法に従って全血試料のＥＳＲを示すために、前記沈殿測定管の外面に沿って形成される一連の目盛りマークと、
（ｉｉｉ）前記沈殿測定管の反対端から突出する複数の低起伏プランジャの把持フランジであって、前記把持フランジはゴムプランジャを保持するためにあり、前記ゴムプランジャは、閉じた端部が薄い破断可能な壁膜で境界を区切られた中空内側容積部を有し、前記沈殿測定管の自由端上で摺動し、且つ前記沈殿測定管から突出する前記把持フランジに嵌合する外壁表面を有する、把持フランジとを備える、請求項２８に記載のＥＳＲ測定計器。
【請求項３２】
前記ＥＳＲ測定計器をそのＥＳＲ測定構成内に再配置した場合に、前記沈殿測定管を前記採血管に押し込む人の親指と嵌合するために、前記沈殿測定管は、前記ゴムプランジャの反対側の端部で、前記沈殿測定管の外端から突出する大環状フランジを有する、請求項３１に記載のＥＳＲ測定計器。
【請求項３３】
前記ＥＳＲ測定計器を前記採血構成内に配置する間に、前記沈殿測定管からの血液希釈剤の流れを制限又は閉塞するように、前記沈殿測定管の上端部分に空気又は流体流制限プラグを挿入可能である、請求項３２に記載のＥＳＲ測定計器。
【請求項３４】
前記沈殿測定管の外壁と採血管の内壁との間に液体シールを生成するために、前記プランジャの前記把持フランジ上で摺動可能なゴムワッシャを、前記ゴムプランジャより先に、前記沈殿測定管の端部に取り付ける、請求項３２に記載のＥＳＲ測定計器。
【請求項３５】
前記ＥＳＲ測定計器を前記採血構成内に配置する間に、真空密封した前記採血管に少量の抗凝固薬を含みながら、前記採血管の上部分に挿入されている前記プランジャを保持して、これらの管を相互に対して静止位置に維持するために、管保持具兼制限組立体が提供される、請求項３１に記載のＥＳＲ測定計器。
【請求項３６】
新規のＥＳＲ測定方法であって、
（ａ）単体となる構造を有するＥＳＲ測定計器に注射様形状要素を設ける工程を含む、方法。
【請求項３７】
さらに、
（ｂ）採血管と結合するゴムキャップを通して採血装置の針を挿入する工程であって、前記採血管は、真空で密封され、前記採血管の中空内側容積部内に所定量の抗凝固薬を含み、さらに、空気又は流体密封されて所定量の血液試料希釈剤を含む沈殿測定管と一体であり、前記採血管の内側容積部と前記沈殿測定管の内側容積部との間に液体シールが配置される、針を挿入する工程を含む、請求項３６に記載のＥＳＲ測定方法。
【請求項３８】
さらに、
（ｃ）負圧で全血試料を患者の体内から引き抜き、前記全血試料を前記針に通して前記採血管内に採取する工程であって、前記採取した全血試料が、前記採血管内で前記所定量の抗凝固薬と混合する、引き抜き採取する工程を含む、請求項３７記載のＥＳＲ測定方法。
【請求項３９】
さらに、
（ｄ）前記針を前記採血器具から引き出し、次いで沈殿測定器具の空気又は流体シールを破壊する工程を含む、請求項３８に記載のＥＳＲ測定方法。
【請求項４０】
さらに、
（ｅ）前記沈殿測定管を前記採血管の前記中空内側容積部に手動で押し込むことによって、前記沈殿測定器具と前記採血管との間の前記液体シールを破壊する工程とを含んでおり、
それによって、前記凝固防止された血液試料が前記沈殿測定管の有意の部分を充填して、前記所定量の血液試料希釈剤と混合し、
これによって、所定の期間中に前記ＥＳＲ計器を重力垂直方向にて支持している場合に、（前記赤血球沈降の）Ｐ／Ｅ境界面レベルが、前記所定の期間にわたって前記採血管に向かって沈殿でき、その結果、前記所定の試験期間中に、前記沈殿測定管で形成された目盛りマークに対して、前記Ｐ／Ｅ境界面レベルがどこまで移動するかを求めることにより、前記採取された血液試料の赤血球沈降速度（ＥＳＲ）を測定できる、請求項３９に記載のＥＳＲ測定方法。
【請求項４１】
注射器様形状要素を有する改良型の赤血球沈降速度（ＥＳＲ）測定計器であって、空の沈殿測定管を、抗凝固薬と血液希釈剤との両方を含む真空密封された採血管に結合し、その結果、このような密封された複数の管が、採血作業中に単一の組立体として相互に対して静止状態で固定されるが、前記ＥＳＲ測定計器をそのＥＳＲ測定構成内に手動で構成する場合には、前記密封された複数の管は、相互に結合して、流体連通する状態で配置される、ＥＳＲ測定計器。
【請求項４２】
注射器様形状要素を有する改良型の赤血球沈降速度（ＥＳＲ）測定計器であって、空の沈殿測定管を、抗凝固薬のみ含む真空密封採血管に結合し、その結果、このような密封された複数の管が、採血作業中に単一の組立体として、相互に対して静止状態で固定されるが、前記ＥＳＲ測定計器をそのＥＳＲ測定構成内に手動で構成する場合には、前記密封された複数の管は、相互に結合して、流体連通する状態で配置される、ＥＳＲ測定計器。
【発明の詳細な説明】
【技術分野】
【０００１】
本発明は凝固防止された全血の試料のエリスロサイト（つまり赤血球）沈降速度（ＥＲＳ）を様々な臨床設定において安全、効果的かつ安価な方法で測定するために改良された方法、及びその使い捨て試験測定計器に関する。
【背景技術】
【０００２】
１８９４年に、ポーランドの医師エドモンド・ビエルナツキ（１８６６〜１９１２）が病人からの血液の沈降速度が上昇することに最初に注目し、この上昇は個体の血液試料中に繊維素原（フィブリノゲン）が存在するせいであることに気づいた。
【０００３】
１９１８年には、ロビン・ファーレウス（１８８８〜１９６８）がビエルナツキの研究を進めた。血液のＥＳＲを研究しようという彼の最初の動機は、妊娠試験としてのものであったが、その関心は患者の病状のＥＳＲ試験の研究へと拡大した。
【０００４】
１９２１年には、アルフ・ウェステルグレン（１８８１〜１９６８）がＥＳＲ試験の実行技術を改良し、結核患者の予後の判定における有用性を報告した。
１９３５年には、マクスウェルＭ．ウィントローブ（１９０１〜１９８６）がＥＳＲ方法の変形を発表し、かつてはこの方法が広く使用された。
【０００５】
１９７７年には、国際血液標準化委員会（ＩＣＳＨ）がＥＳＲ試験の世界標準としてウェステルグレンの方法を採用するように勧告した。
１９９７年には、ＮＣＣＬＳが「Reference and Selected Procedure For The Erythrocyte Sedimentation Rate (ESR) Test; Approved Standard」（第４版）と題され、参照により全体が本明細書に組み込まれたＮＣＣＬＳ刊行物第Ｈ２−Ａ４号で、ＥＳＲ試験に関するＩＣＳＨの最も新しい勧告を発表した。また、ＮＣＣＬＳは最近、幾つかの他の重要な文書を刊行して、ＥＳＲ試験に関する標準及びガイドラインを示している。つまり、臨床検査室の定量試験の基準値及び基準間隔を決定する標準的ガイドラインを示す「How to Define and Determine Reference Intervals in the Clinical Laboratory」と題した第Ｃ２８−Ａ２号、採血管及びヘパリン、ＥＤＴＡ及びクエン酸ナトリウムなどの添加物の標準的要件を示す「Evacuated Tubes and Additives for Blood Specimen Collection」と題した第Ｈ１−Ａ４号、線引き抜き、血液培養採取、及び子供の静脈穿刺を含み、引き抜き順序の勧告も含む、静脈穿刺により診断試料を採取する標準的手順を示す「Procedures for the Collection of Diagnostic Blood Specimens by Venipuncture」と題した第Ｈ３−Ａ４号、充填赤血球量を測定する標準的なミクロヘマトクリット法を示し、推奨材料及び潜在的なエラー発生源を扱う「Procedure for Determining Packed Cell Volume by the Microhematocrit Method」と題した第Ｈ７−Ａ３号、試料の取り扱い及び処理に関連する複数の要素、さらに不正確さまたは体系的バイアスを結果に導入し得る要素に対応する「Procedures for the Handling and Processing of Blood Specimens」と題した第Ｈ１８−Ａ２号、及び任意の検査室設定における肝炎ウィルス及びヒト免疫不全ウィルスの伝染の危険性に関するガイダンス、検査室の計器及び材料から血液感染症の検査室感染を防止するための個々の予防策、及び血液感染の曝露を抑制する推奨方法を示す「Protection of Laboratory Workers from Instrument Biohazards and Infectious Disease Transmitted by Blood, Body Fluids and Tissue」と題したＭ２９−Ａである。これらのＮＣＣＬＳ文書はそれぞれ、当技術分野の知識の現状を示し、参照により全体が本明細書に組み込まれる。
【０００６】
今日、赤血球沈降速度（ＥＳＲまたは沈降速度）試験は、世界中で最も広く実行されている検査室試験の一つであり、患者の血中繊維素原レベルの上昇によって示される急性または慢性的炎症を引き起こす状態を患者が有するかを判定することによって、一般的疾病をスクリーニングするのに役立てるために使用される。ＥＳＲ試験は非特異的であるが、それでも何らかの炎症性疾患の経過を辿るには非常に役立つ。
【０００７】
ウェステルグレンのＥＳＲ試験方法は、ＥＳＲ試験の「金本位制（即ち標準）」としての基準方法であり、凝固防止された血液の希釈試料を直径２．５ｍｍで長さが２００ｍｍの背が高く完全に垂直の管に入れ、６０分（つまり１時間）経過後に重力の影響で血漿／赤血球（Ｐ／Ｅ）境界面レベルがどこまで沈降するかを［ｍｍ／時］の単位で測定することによって実行する。採取した全血試料は、Ｋ３ＥＤＴＡを添加して凝固を防止し、次いで凝固防止された血液試料を、希釈剤（生理食塩水、または０．１０から０．１３６ｍｏｌ／リットルの濃度のクエン酸三ナトリウムなど）１に対して４の凝固防止された全血の割合で添加し、希釈する。この試験は、炎症に伴うタンパク質、特に繊維素原が、赤血球の表面陰電荷によって生じる赤血球のゼータ電位を打ち消すのでうまく働く。赤血球のこの陰電荷は、個々の赤血球を相互から反発させる働きをし、したがって赤血球の沈殿を長引かせる。全身炎症がある場合、血中の繊維素原含有量が増加して、赤血球が凝集する傾向があり、これによって表面対体積比が減少し、沈殿速度が上昇する。
【０００８】
ウィントローブのＥＳＲ試験方法は、ウェステルグレンのＥＳＲ方法で使用した管より短い管（１００ｍｍ）を使用し、希釈剤として機能しないように、異なる凝固防止剤（つまり酸化アンモニウム及びシュウ酸カリウム）の使用量も少なくする。ウィントローブの方法は、ウェステルグレンの方法よりも穏やかな上昇に対する感度が高いが、偽のプラスの率も高くなることが一般的に認められている。これに対して、ウェステルグレンの方法の方が、上昇したレベルでの変化に対する感度がより高く、治療に対する反応を評価するためにＥＳＲ試験を使用している場合、つまり巨細胞性動脈炎のような疾病でより有用である。
【０００９】
手動操作原理を使用するＥＳＲ試験を実行するために、様々なタイプの先行技術の装置が提案されている。以下の特許は、装置のこのような形態について記載している。つまり、米国特許第５，９１４，２７２号、米国特許第５，７７９，９８３号、米国特許第５，７４５，２２７号、米国特許第５，２４４，６３７号、米国特許第５，０６５，７６８号、米国特許第４，７０１，３０５号、米国特許第４，６２２，８４７号、米国特許第４，４３４，８０２号、米国特許第４，３５３，２４６号、米国特許第４，１８７，７１９号、米国特許第３，９３８，３７０号、米国特許第３，９１０，１０３号、米国特許第３，６６０，０３７号、米国特許第３，３７３，６０１号、英国特許出願公開第２１１６３１９Ａ号、及び英国特許出願公開第２０４８８３６Ａ号であり、各特許は参照により本明細書に組み込まれる。
【００１０】
しかし、上記の先行技術の参考文献で開示されたＥＳＲ試験の計器は、一般的に満足できない方法で血液を扱い、測定の実行者及び採取した血液試料の廃棄者に対して不必要な危険を生じ、試験結果を正確に測定すべき場合は、検査室の専門家に比較的高度の技術及び器用さを有することを要求する。
【００１１】
ＥＳＲ試験を自動化する様々なアプローチが試みられ、特に赤血球の沈殿を追跡する電子及び光学的手段を使用し、通常は６０分未満で結果を提供する。このような技術は、米国特許第５，９１４，２７２号、第５，５７５，９７７号、第５，３１６，７２９号、第４，８０１，４２８号、第４，７４４，０５６号、第４，１８７，４６２号、及び第４，０４１，５０２号で示され、それぞれ参照により本明細書に組み込まれる。
【００１２】
これらの先行技術の方法及び装置は、ＥＳＲ試験の時間を標準的な６０分の試験時間より大幅に削減するが、このような先行技術の方法及び装置によって生成される結果は、「基準」のウェステルグレンのＥＳＲ方法との良好な相関がなく、高価な機器を使用する。
【００１３】
したがって、当技術分野には、先行技術の装置及び方法の短所及び欠点を回避しながら、全血の試料中の赤血球沈殿速度を測定するための改良された方法及び装置が非常に必要とされている。
【特許文献１】米国特許第５，９１４，２７２号
【特許文献２】米国特許第５，７７９，９８３号
【特許文献３】米国特許第５，７４５，２２７号
【特許文献４】米国特許第５，２４４，６３７号
【特許文献５】米国特許第５，０６５，７６８号
【特許文献６】米国特許第４，７０１，３０５号
【特許文献７】米国特許第４，６２２，８４７号
【特許文献８】米国特許第４，４３４，８０２号
【特許文献９】米国特許第４，３５３，２４６号
【特許文献１０】米国特許第４，１８７，７１９号
【特許文献１１】米国特許第３，９３８，３７０号
【特許文献１２】米国特許第３，９１０，１０３号
【特許文献１３】米国特許第３，６６０，０３７号
【特許文献１４】米国特許第３，３７３，６０１号
【特許文献１５】英国特許出願公開第２１１６３１９Ａ号
【特許文献１６】英国特許出願公開第２０４８８３６Ａ号
【発明の開示】
【発明が解決しようとする課題】
【００１４】
したがって、先行技術の装置及び方法の短所及び欠点を回避しながら、全血の試料中の赤血球沈殿速度（ＥＳＲ）を測定するための改良された方法及び装置を提供することが、本発明の目的である。
【００１５】
注射器様形状要素、及び単体構造を有する改良型の使い捨てＥＳＲ試験測定計器の形態でこのような装置を提供することが、本発明のさらなる目的である。
採血構成及びＥＳＲ測定構成を有するこのようなＥＳＲ測定計器を提供することが、本発明のさらなる目的である。
【課題を解決するための手段】
【００１６】
採血構成の最中に、血液希釈剤（希釈剤）を含む空気又は流体密封の沈殿測定管を凝固防止剤（つまり抗凝固薬）を含む真空密封の採血管に結合させ、このような密封管が単体組立体として相互に対して静止状態で固定されるこのようなＥＳＲ測定計器を提供することが、本発明の別の目的である。ＥＳＲ測定計器は採血構成中に配置されるが、次いでルアー（登録商標）タイプの接続具を真空密封の採血管に接続し、患者からの全血試料を引き抜き、ＥＳＲ測定計器の採血管に注入する。
【００１７】
凝固防止された血液試料を密封した採血容器内に採取し、ルアー（登録商標）タイプの接続具をそこから切り離した後、沈殿測定管の空気密封を破壊し、次いでＥＳＲ測定計器をそのＥＳＲ測定構成内に再配置するように、片手作業を用いて、沈殿測定管を手動で採血管の底部に填め込む、このようなＥＳＲ測定計器を提供することが、本発明の別の目的である。これによって、２本の管の間の液体密封が破壊され、凝固防止した採血試料が、沈殿測定管に含まれる生理的（０．１４５ｍｏｌ／Ｌ；８．５ｇ／Ｌ；”０．８５％）ＮａＣｌ溶液に混合し、その結果、その有意の部分を希釈した血液試料で充填し、希釈した凝固防止血液試料の血漿／赤血球（Ｐ／Ｅ）境界面レベルが、ＥＳＲ測定計器を重力的に垂直な姿勢に配向されている所定の試験期間（例えば６０分）の間に、採血管に向かって測定可能な距離だけ下方向に沈殿する。このＥＳＲ測定計器を使用し、６０分の試験期間中に沈殿測定管の目盛りマークに対してＰ／Ｅ境界面レベルが移動する距離を測定することによって、採取した血液試料のＥＳＲを求めることができる。
【００１８】
本発明の別の目的は、採血管が（ｉ）採血作業中に人間の全血試料を受け取る、所定の内径の中空の内部円筒容積部と、（ｉｉ）一対の低起伏フランジとを有し、これは組立中に採血管の低起伏フランジと外端部分にスナップ嵌めされる薄い方の壁部分及び厚い自己密封端部分があり、針で穿孔可能なゴムキャップを把持するために、採血管の外端表面の周囲に突出し、さらに、（ｉｉｉ）沈殿測定管を親指で採血管に押し込む人の指と嵌合するために、反対端で採血管の外端から突出する大環状フランジを有する、このようなＥＳＲ測定計器を提供することである。
【００１９】
本発明の別の目的は、沈殿測定管が、（ｉ）所定の直径で、採血管の中空内側容積部の内径よりわずかに小さい外径の中空中心孔と、（ｉｉ）本発明のＥＳＲ測定方法に従って全血試料のＥＳＲを示すために、沈殿測定管の外面に沿って形成される一連の目盛りマークと、（ｉｉｉ）閉じた端部が薄い破断可能な壁膜で境界を区切られた中空内側容積部を有するゴムプランジャを保持するために、沈殿測定管の反対端から突出し、沈殿測定管の自由端上で摺動し、自身から突出するフランジと嵌合する外壁表面を有する複数の低起伏プランジャの把持フランジとを有する、このようなＥＳＲ測定計器を提供することである。
【００２０】
本発明の別の目的は、沈殿測定管が、ＥＳＲ測定計器をそのＥＳＲ測定構成へと再配置する場合に、沈殿測定管を採血管に押し込む人の親指と嵌合するために、ゴムプランジャとは反対の端部で外端から突出する大環状フランジを有する、このようなＥＳＲ測定計器を提供することである。
【００２１】
本発明の別の目的は、ＥＳＲ測定計器をその採血構成内に配置する間に、沈殿測定管からの血液希釈剤の流れを制限又は閉塞するように、沈殿測定管の上端部分に空気又は流体流制限プラグを挿入可能である、このようなＥＳＲ測定計器を提供することである。
【００２２】
本発明の別の目的は、沈殿測定管の外壁と採血管の内壁との間に液体シールを生成するために、プランジャの前記把持フランジ上で摺動可能なゴムワッシャを、ゴムプランジャの前に沈殿測定管の端部に取り付ける、このようなＥＳＲ測定計器を提供することである。
【００２３】
本発明の別の目的は、ＥＳＲ測定計器をその採血構成内に配置する間に、採血管の上部分に挿入されている沈殿測定管のプランジャ部分を保持し、真空で密封した採血管に少量の抗凝固薬（例えばＫ３ＥＤＴＡ）を含みながら、これらの管を相互に対して静止位置に維持するために、管保持具兼制限組立体が提供される、このようなＥＳＲ測定管を提供することである。
【００２４】
本発明の別の目的は、注射器様形状要素の単体となる構造を有するＥＳＲ測定計器を使用する新規のＥＳＲ測定方法を提供することである。
本発明の別の目的は、採血管と結合するゴムキャップを通して採血装置の針を挿入し、採血管は、真空で密封され、前記採血管の中空内側容積部内に所定量の抗凝固薬を含み、さらに、空気又は流体に対して密封され所定量の血液試料希釈剤（例えば生理的ＮａＣｌ溶液またはクエン酸ナトリウム溶液）を含む沈殿測定管と一体化された、このようなＥＳＲ測定方法を提供することであり、前記採血管の内側容積部と前記沈殿測定管の内側容積部との間に液体シールが配置される。
【００２５】
本発明の別の目的は、全血試料を真空圧で患者の体内から引き抜き、血液試料を針に通して採血管内に採取する、このようなＥＳＲ測定方法を提供することであり、採取した全血試料は、採血管内で所定量の抗凝固薬と混合する。
【００２６】
本発明の別の目的は、針を採血器具から引き出し、次いで沈殿測定器具の空気又は流体シールを破壊する、このようなＥＳＲ測定方法を提供することである。
本発明の別の目的は、沈殿測定管と採血管との間の液体シールが、沈殿測定管を採血管の中空内側容積部に手動で押し込むことによって破壊され、それによって凝固防止された血液試料が沈殿測定管の有意の部分を充填し、所定量の血液試料希釈剤（例えば生理的ＮａＣｌ溶液またはクエン酸ナトリウム溶液）と混合する、このようなＥＳＲ測定方法を提供することであり、これによって（赤血球沈殿物の）Ｐ／Ｅ境界面は、所定の期間中にＥＳＲ計器を重力垂直方向にて支持している場合、所定の期間にわたって採血管に向かって沈殿でき、したがって採取した血液試料の赤血球沈降速度（ＥＳＲ）は、所定の期間中に沈殿測定管の目盛りマークに対してＰ／Ｅ境界面レベルが移動する距離を求めることにより測定できる。
【００２７】
本発明のさらに別の目的は、注射器様形状要素を有する改良型の赤血球沈降速度（ＥＳＲ）測定計器を提供することであり、空の沈殿測定管を、抗血液凝固剤（つまり抗体凝固薬）と血液希釈剤（つまり希釈剤）の両方を含む真空密封の採血管に結合し、したがって採血作業中にこのような密封管が単体組立体として相互に対して静止状態にて固定されるが、ＥＳＲ測定計器を手動でそのＥＳＲ測定構成内に構成すると、相互に相互結合され、流体連通する状態で配置される。本発明のこの実施形態は、血液試料の希釈を使用するウェステルグレンのＥＳＲ方法を実践するために最も適している。
【００２８】
本発明のさらに別の目的は、注射器様形状要素を有する改良型の赤血球沈降速度（ＥＳＲ）測定計器を提供することであり、空の沈殿測定管を、抗血液凝固剤（つまり抗凝固薬）のみ含む真空密封の採血管に結合し、したがってこのような密封管は、採血作業中に単体組立体として相互に対して静止状態で固定されるが、ＥＳＲ測定計器を手動でそのＥＳＲ測定構成内に構成すると、相互に相互結合され、流体連通する状態で配置される。本発明のこの実施形態は、血液試料の希釈を使用しないウィントローブのＥＳＲ方法を実践するために最も適している。
【００２９】
本発明の以上及び他の目的は、以下及び発明の請求の範囲で明白になる。
【発明を実施するための最良の形態】
【００３０】
次に、本発明を実施するための最良の形態を、添付図面に関して詳細に説明し、ここでは図面全体で図示された同様の構造及び要素は、同様の参照番号で示す。
以下で述べる詳細な説明は、本発明のＥＳＲ測定計器の２つの例の実施形態の詳細な仕様を開示する。概して、これらのＥＳＲ測定計器は、携帯用かつ使い捨ての性質であり、例えば医者のオフィス、研究所、病院、診療所、戦場などのような多様な環境で精密なＥＳＲ測定を迅速に実施するように設計される。
【００３１】
［本発明のＥＳＲ測定計器の第１例の実施形態］図１Ｃから図１Ｆで示すように、第１例の実施形態１のＥＳＲ測定計器は、各構成要素、即ち、採血管２と、沈殿測定管９と、大環状フランジ１７と、流体流制限プラグ１８と、ゴムワッシャ１９と、所定量の血液希釈剤２０と、所定量の抗凝固薬２１と、管保持具兼制限組立体２２とから構成される組立体を備える。
【００３２】
採血管２は、（ｉ）採血作業中に人間の全血の試料を受け取る所定の内径で円筒形の中空内側容積部３と、（ｉｉ）ゴムの針で穿孔可能なキャップ５を把持するために、採血管の外部端面の周囲に突出する一対の低起伏フランジ４であって、キャップ５は、薄い壁部分７及び厚い自己密封端部分６を有しており、薄い壁部分７及び厚い自己密封端部分６は組立中に低起伏フランジ４及び採血管の外部端部分にスナップ嵌めされる、一対の低起伏フランジ４と、（ｉｉｉ）沈殿測定管９を親指で採血管２に押し込む人の指と係合するために、反対端で採血管の外部端部から突出する大環状フランジ８と、を有する。
【００３３】
沈殿測定管９は、（ｉ）所定の直径の中空中心孔１０と、（ｉｉ）本発明のＥＳＲ測定方法に従って全血試料のＥＳＲを示すためにその外面に沿って形成される一連の目盛りマーク１１と、（ｉｉｉ）沈殿測定管の反対端から突出する複数の低起伏プランジャの把持フランジ１２とを備えており、当該把持フランジ１２はゴムプランジャ１３を保持し、ゴムプランジャ１３は閉じた端部が薄い破断可能な壁膜１５によって境界を区切られた中空内側容積部１４を有し、沈殿測定管の自由端部上で摺動し、且つ当該沈殿測定管から突出するフランジ１２と係合する外壁表面１６を有する。
【００３４】
大環状フランジ１７は、（ｉｖ）図３Ａから図６Ｆで示すように、ＥＳＲ測定計器をそのＥＳＲ測定構成内に再配置する場合に、沈殿測定管９を採血管に押し込む人の親指と係合するために、ゴムプランジャ１３とは反対側の端部で沈殿測定管の外端から突出する。
【００３５】
空気又は流体流制限プラグ１８は、図１Ｂから図１Ｆで示すように、ＥＳＲ測定計器をその採血構成内に配置する間に、周囲環境から中空中心孔１０の内部への空気の流れ、及び沈殿測定管からの血液希釈剤２０の流出を抑制または閉塞するように、沈殿測定管９の上端部分に挿入可能である。
【００３６】
ゴムワッシャ１９は、沈殿測定管の外壁と採血管の内壁との間に液体シールを生成するように、沈殿測定管の端部にゴムプランジャ１３を取り付ける前に、プランジャの前記把持フランジ１２上で摺動可能である。
【００３７】
所定量の血液希釈剤２０は、例えば生理的ＮａＣｌ溶液又はクエン酸ナトリウム溶液であり、この血液希釈剤２０は、空気又は流体流制限プラグ１８を中心孔１０に挿入した後であるが、ゴムプランジャ１３を沈殿測定管９の他方端にスナップ嵌めする前に沈殿測定管９に挿入される。
【００３８】
所定量の抗凝固薬（例えばＫ３ＥＤＴＡ）２１は、ゴムの針で穿孔可能なプランジャ（キャップ）５を採血管２の他方端にスナップ嵌めした後であるが、沈殿測定管組立体のプランジャ端部を採血管２の開放端部分に挿入する前に採血管２に挿入される。
【００３９】
管保持具兼制限組立体２２は、ＥＳＲ測定計器をその採血構成内に配置する間に、少量の抗凝固薬が真空密封された採血管に含まれている間に、沈殿測定管のプランジャ部分１３を採血管２の上部分内で保持し、これらの管を相互に対して静止位置に維持する。
【００４０】
図１Ｂから図１Ｆでは、採血構成内に配置された本発明のＥＳＲ測定計器が図示されている。通常、計器は梱包されて、製造業者から最終使用者（例えば医師、病院、診療所など）へと輸送している場合に、この組み立てた状態で配置される。この配置で、沈殿測定管９のプランジャ部分１３を採血管２の上部分に挿入し、管保持具兼制限組立体２２によって採血管２に対して静止位置に保持する。真空密封された採血管２内に含まれる少量の抗凝固薬（例えばＫ３ＥＤＴＡ）が、含まれる全血試料の採取後の凝固を防止する。図１Ｃの断面図で示すように、管保持具兼制限組立体２２の主要な機能は、ＥＳＲ測定計器をその採血構成内に配置する間に、沈殿測定管と採血管との間の相対的運動を防止することである。図示のように、ゴムのワッシャ１９を、採血管２の上部分に形成した環状凹部２３内で受け、これは環状フランジ８が採血管の外壁から突出する面のわずかに下である。ワッシャ１９の機能は、沈殿測定管９の端部分と採血管２の壁との間に改良された液体シールを生成することである。
【００４１】
図１Ｅで示すように、破断可能な膜１５がプランジャ構造１３と一体形成されて、沈殿測定管９の端部開口を覆い、したがって採血管の上部分を完全に閉鎖し、計器の組立プロセス中に当技術分野でよく知られている方法で採血管を所定の範囲まで排出できるようにする。図示のように、抗凝固薬２０が、空気又は流体流制限プラグ１８とゴムプランジャ１３の破断可能な膜１５との間で沈殿測定管９の中空内側容積部内に含まれる。特に、図３Ａ、図３Ｂ、図３Ｃ及び図３Ｄで示すように、採血装置２５を採血管と被験者の間に接続した場合に、被験者から全血の所定の試料（例えば１．０ｍｌまたは０．５ｍｌ）を自動的に引き抜くのは、採血管２の中のこの真空である。
【００４２】
図１Ｂで示すように管保持具兼制限組立体２２は、採血構成中にフランジ１７を解放自在に囲む第１部分２２Ａと、採血構成中にフランジ８を解放自在に囲む第２部分２２Ｂと、採血構成中に沈殿測定管９を解放自在に囲む第３部分２２Ｃと、ＥＳＲ測定構成中、及びその後の処分中に常にフランジ８を永久的に囲む第３部分２２Ｄとを有する。沈殿測定管９と採血管２との相対的運動を防止することによって、管保持具兼制限組立体２２は、全血試料の引き抜き前または引き抜き中に加圧採血管２内に生成される液体真空シールの破壊または破断を防止する。これによって、採取した全血試料が、図５Ｃから図６Ｆで示すようにＥＳＲ測定計器をそのＥＳＲ測定構成内に再配置する前に凝固しないことが保証され、これは、図６Ｄから図６Ｆで示すように、管保持具兼制限組立体２を外し、採血管２の底部へと沈殿測定管９を手動で押すことによって遂行される。
【００４３】
例の実施形態では、沈殿測定管９、採血管２及び空気又は流体流制限プラグ１８を、プラスチックの採血管などの製造に現在使用されている高品質の医療用プラスチックを使用して射出成形できる。ゴムキャップ５、ゴムプランジャ１３及びワッシャシール１９は、当技術分野でよく知られている方法で医療用ゴム材料から作成できる。
【００４４】
図２を参照し、次に本発明によるＥＳＲ測定方法を実施する際に含まれる工程について詳細に説明する。
図２のブロックＡで示すようにＥＳＲ測定方法の第１工程は、図３Ｂで示すように、採血管のゴムキャップ５を通してルアー（登録商標）ロックタイプの採血装置２５の針２６を挿入することを含む。この接続装置は、沈殿測定管９及び採血管２の周囲に設置された状態で維持される管保持具兼制限組立体２２と共にあり、空気又は流体流制限プラグ１８は、沈殿測定管の上部開口１７Ａ内に挿入されたままである。この方法の前記工程の間に使用する採血装置は通常、一方端がルアー（登録商標）ロック接続具２５Ａに接続され、他方が皮下注射針２８で終了する可撓性管２７の区間を含む。皮下注射針は、被験者から安全に血液を引き抜くのに適切でなければならない。１つまたは複数の医療用接続具を、当技術分野でよく知られている方法で、採血管２と皮下注射針２８の間に並べて挿入できる。皮下注射針が被験者の皮膚を穿孔したら、採血管２内の負圧が、人間の全血４０の所定試料を自動的に引き抜き、これは管を通って流れ、採血容器を充填する。
【００４５】
図２のブロックＢで示すように、この血液引き抜き作業中に、採血管２に入る血液４０は採血管２内のある量の抗凝固薬２１と混合し、採血管内における血液試料の凝固を防止する。
【００４６】
図２のブロックＣで示すように、採血管２が、図３Ｄ及び図３Ｅで示すような計器の組立時に生成される真空によって所定の容積（例えば１ｍｌ）まで充填されるにつれ、被験者からの血液は採血測定管２への流入を停止し、これで針２８を被験者から外して、ルアー（登録商標）ロック接続具２５Ａを採血管から引き抜き、外すことができる。
【００４７】
図２のブロックＤで示すようにＥＳＲ測定方法の次の工程は、管保持具兼制限組立体２２を、図４Ａから図５Ｂで示すような沈殿測定兼採血管から外すことを含む。これは、頂部フランジカバー部分２２Ａ、フランジカバー部分２２Ｂの端部分に形成された可撓性シール部３０を手動で破壊し、次にカバー部分２２Ａ１、２２Ａ２及び２２Ｂ１、２２Ｂ２をその個々の蝶番部２２Ａ２及び２２Ｂ３の周囲で開放し、したがってカバー部分２２Ａ１、２２Ａ２及び２２Ｂ１、２２Ｂ２を上部及び底部フランジ１７及び８それぞれから外して、カバー幹部分２２Ｃを沈殿測定管９からし、組立体を計器から外せるようにして遂行される。特に、フランジカバー部分２２Ｄは、幹部分２２Ｃと上部カバー部分２２Ｂ１、２２Ｂ２の間に配置される。保持具兼制限組立体２２が図５Ｂで示すように外されると、計器をそのＥＳＲ測定構成へと再配置する準備が整う。そのために、使用者（例えば試験者または臨床医）は図５Ｄ１及び図５Ｄ２で示すように、空気又は流体流制限プラグ１８を沈殿測定管９の上部開口から手動で外す。空気又は流体流制限プラグ１８を外すと、周囲の空気が沈殿測定管９の内側容積部へと流入でき、したがってその圧力を周囲環境の空気圧と等しくできる。例の実施形態では、ＥＳＲ測定構成中に中空内側容積部１０に沿って上昇し、これを占有すると、血液がＥＳＲ測定計器の沈殿測定管部分から漏れることができないように、空気透過性で血液不透過性材３７を沈殿測定管の中空内側容積部の最初の２．５４ｃｍ（１インチ）程度以内で、上部開口１７ａから丁度１．２７ｃｍ（１／２インチ）程度まで挿入する。
【００４８】
図２のブロックＥで示すように、ＥＳＲ測定方法は、使用者（例えば試験者または臨床医）が従来の注射器を扱う場合のように、使用者の人差し指と中指の間に下部フランジ８を位置決めし、使用者の親指を頂部（つまり上部）フランジ１７上に位置決めした状態で、ＥＳＲ測定計器を手で把持することを含む。この計器取り扱い構成では、使用者が親指を使用して、図５Ｅから図６Ｆで示すように従来の注射器から液体を絞り出すのと丁度同じように、沈殿測定管９を採血管２に押し込む。この動作によって、破断可能な膜１５が破断し、採血管中の凝固防止された血液４０’の試料が沈殿測定管９の中空内側容積部１０へと強制的に突入して、そこに含まれる血液試料希釈剤（例えば生理的ＮａＣｌ溶液またはクエン酸ナトリウム溶液）２０と混合する。膜１５が、採血管２に押し込まれたゴムプランジャ１３に応答して破断するプロセスを、図５Ｈに概略的に示す。図示のように、このプロセス中に、下方向の圧力の増加とともに表面下の静水圧が上昇するにつれて、膜１５は、膜材料が破損して破断する時点まで、ゴムプランジャ構成要素の壁部分の全体的な構造的完全性を妥協することなく伸張する。沈殿測定管９を採血管２に押し込むと、その中の血液試料の圧力が上昇し、これによって血液試料４０’が破断した膜１５’を通って沈殿測定管の中空内側容積部に沿って流れ、希釈剤（例えば生理的ＮａＣｌ溶液またはクエン酸ナトリウム溶液）と混合する。それと同時に、プランジャ１３及びガスケット１９のゴム壁が高品質の液体シールを生成し、これは採血管２の中空内側容積部と流体連通して配置された沈殿測定管９の中空内側容積部１０によって生成された含有容積部４０”の組み合わせからいかなる量の採血試料４０’も漏れるのを防止する。
【００４９】
その後、組立体２２のカバー部分２２Ｄ及び２２Ｂ１、２２Ｂ２を、図７Ａ及び図７Ｂで示すように、頂部及び底部フランジ１７及び８それぞれに再度取り付けて、次にカバー部分を図７Ｃで示すようにスナップ留めして永久的に閉鎖する。この最終状態の構成では、ＥＳＲ測定計器に含まれた凝固防止血液試料の全体を血液試料希釈剤（例えば生理的ＮａＣｌ溶液またはクエン酸ナトリウム溶液）２０と完全に混合して、希釈して凝固防止された全血の試料を生成する（つまり、配合によると、凝固防止された全血が４で希釈剤が１の割合で混合する）。それと同時に、希釈した全血試料を、ロックしたＥＳＲ試験計器内に安全に密封する（つまり閉じ込める）。本発明によるＥＳＲ測定を実施するには、ＥＳＲ測定計器を垂直方向に直立して位置決めし、例えば約６０分の期間、気泡があるうちに（例えばテーブル、実験室のベンチ、または他の安定した表面上に配置される）、支持口を有する台に挿入し、したがって血漿／赤血球（Ｐ／Ｅ）境界面レベルが、通常通り重力に応答して６０分の試験期間中に垂直に支持された沈殿測定管に沿って沈殿する（つまり落下する）ことができる。この試験期間の最後に、血漿／赤血球（Ｐ／Ｅ）境界面が６０分後に重力の影響でどこまで沈降したかをミリメートル単位で測定する、つまり沈殿測定管の縦に沿って形成された校正済み目盛り１１に対して［ｍｍ／時］単位で測定することによって、正確なＥＳＲ測定値を読み取ることができる。
【００５０】
ＥＳＲ測定を実施し、患者の医療記録に記録した後、ロックしたＥＳＲ測定計器を政府の規則及び／または安全基準に従って医療廃棄物として廃棄できる。
本発明のＥＳＲ測定方法の間、採血試料は常に計器内に含まれるので、本発明のＥＳＲ測定計器を使用してＥＳＲ試験測定を実施する技術者には、危険があるとしても小さい。また、計器は基本的にロックされているので、漏れまたは環境汚染の危険性も実質的に最小限である。
【００５１】
［本発明のＥＳＲ測定計器の第２例の実施形態］図８から図１７Ｂで示すように、第２例の実施形態の使い捨てＥＳＲ試験測定計器は、第１例の実施形態の試験計器の基本的に同じ構成要素の組立体を備える。即ち、採血管２と、沈殿測定管９’と、流体流制限プラグ１８と、ゴムワッシャ１９と、所定量の血液希釈剤２０と、所定量の抗凝固薬２１と、から構成される組立体を備える。
【００５２】
採血管２は、（ｉ）採血作業中に人間の全血の試料を受け取る所定の内径の中空内部円筒形容積部と、（ｉｉ）ゴムの針で穿孔可能なキャップ５を把持するために、採血管の外部端面の周囲に突出する一対の低起伏フランジ４であって、このキャップ５は、厚い自己密封端部分６及びそれより薄い壁部分７を有しており、薄い壁部分７及び厚い自己密封端部分６は組立中に低起伏フランジ４及び採血管の外部端部分にスナップ嵌めされる、一対の低起伏フランジ４と、（ｉｉｉ）沈殿測定管９’を親指で採血管２に押し込む人の指と係合するために、反対端で採血管の外部端部から突出する大環状フランジ８と、を有する。
【００５３】
沈殿測定管９’は、（ｉ）所定の直径の中空中心孔１０と、（ｉｉ）本発明のＥＳＲ測定方法に従って全血試料のＥＳＲを示すためにその外面に沿って形成される一連の目盛りマーク１１と、（ｉｉｉ）沈殿測定管の反対端から突出する複数の低起伏プランジャの把持フランジ１２であって、当該把持フランジ１２はゴムプランジャ１３を保持し、当該ゴムプランジャ１３は閉じた端部が薄い破断可能な壁膜１５によって境界を区切られた中空内側容積部１４を有し、ＥＳＲ測定管の自由端部上で摺動し、且つそこから突出するフランジ１２と係合する外部壁表面１６を有する、低起伏プランジャの把持フランジ１２と、（ｉｖ）図１２Ａ１から図１７Ｂで示すように、ＥＳＲ測定計器をそのＥＳＲ測定構成内に再配置する場合に、沈殿測定管９を採血管に押し込む人の親指と係合するために、ゴムプランジャ１３とは反対側の端部で沈殿測定管の外端から突出する大環状フランジ１７、及び（ｖ）一対の隔置された凹部流路５０Ａ及び５０Ｂであって、管保持及び制限に使用するために、沈殿測定管９’の表面に与えられる、一対の隔置された凹部流路５０Ａ及び５０Ｂとを有する。
【００５４】
空気又は流体流制限プラグ１８は、ＥＳＲ測定管９の上端部分に挿入可能であり、図１Ｂから図１Ｆで示すように、ＥＳＲ測定計器をその採血構成内に配置する間に、周囲環境及び中空中心孔１０の内部からの空気の流れを抑制または閉塞する。
【００５５】
ゴムワッシャ１９は、沈殿測定管の外壁と採血管の内壁との間に液体シールを生成するように、沈殿測定管の端部にゴムプランジャ１３を取り付ける前に、プランジャの把持フランジ１２上で摺動可能である。
【００５６】
所定量の血液希釈剤２０は、例えば生理的ＮａＣｌ溶液またはクエン酸ナトリウム溶液であり、この血液希釈剤２０は、空気又は流体流制限プラグ１８を中心孔１０に挿入した後であるが、ゴムプランジャ１３を沈殿測定管９’の他方端にスナップ嵌めする前に沈殿測定管９’に挿入される。
【００５７】
所定量の抗凝固薬（例えばＫ３ＥＤＴＡ）は、ゴムの針で穿孔可能なプランジャ５を採血管２の他方端にスナップ嵌めした後であるが、ＥＳＲ測定管組立体のプランジャ端部を採血管２の開放端部分に挿入する前に採血管２に挿入される。
【００５８】
しかし、この第２例の実施形態では、その管保持具兼制限組立体４５が、第１例の実施形態で使用した管保持具兼測定（制限）組立体２２より明らかに単純な構造で実現される。この管保持具兼制限組立体４５について、以下で詳細に説明する。
【００５９】
図９Ａから図１１Ｅでは、採血構成内に配置された第２例の実施形態に係るＥＳＲ測定計器が図示されている。通常、計器は梱包されて、製造業者から最終使用者（例えば医師、病院、診療所など）へと輸送している場合に、この組み立てた状態で配置される。この配置で、沈殿測定管９’のプランジャ部分１３を採血管２の上部分に挿入し、着脱式管保持具兼制限組立体４５によって採血管２に対して静止位置に保持する。真空密封された採血管内に含まれる少量の抗凝固薬（例えばＫ３ＥＤＴＡ）が、含まれる全血試料の採取後の凝固を防止する。図９Ｂの断面図で示すように、管保持具兼制限組立体４５の主要な機能は、ＥＳＲ測定計器をその採血構成内に配置する間に、ＥＳＲ測定管と採血管との間の相対的運動を防止することである。図示のように、ゴムワッシャ１９を、採血管２の上部分に形成した環状凹部２３内で受け、これは環状フランジ８が採血管２の外壁から突出する面のわずかに下である。ゴムプランジャ１９の機能は、沈殿測定管９’の端部分と採血管２の壁との間に液体シールを生成することである。
【００６０】
図９Ｃで示すように、破断可能な膜１５がプランジャ構造１３と一体形成されて、沈殿測定管９’の端部開口を覆い、したがって採血管の上部分を完全に閉鎖し、計器の組立プロセス中に当技術分野でよく知られている方法で採血管を所定の範囲まで排出できるようにする。図示のように、抗凝固薬（例えば生理的ＮａＣｌ溶液またはクエン酸ナトリウム溶液）２０が、空気又は流体流制限プラグ１８とゴムプランジャ１３の破断可能な膜１５との間で沈殿測定管９’の中空内側容積部内に含まれる。特に、図１１Ａ、図１１Ｂ、図１１Ｃ及び図１１Ｄで示すように、採血装置２５を採血管と被験者の間に接続した場合に、被験者から凝固防止された全血の希釈されていない試料（例えば１．０ｍｌまたは０．５ｍｌ）を自動的に引き抜くのは、採血管の中のこの真空である。沈殿測定管９’と採血管２との相対的運動を防止することによって、管保持具兼制限組立体４５は、全血試料の引き抜き前または引き抜き中に加圧採血管２内に生成される液体真空シールの破壊または破断を防止する。これによって、採取した全血試料が、図１２Ａ１から図１７Ｂで示すようにＥＳＲ計器をそのＥＳＲ測定構成内に再配置する前に凝固しないことが保証され、これは、図１３から図１６Ｂで示すように、管保持具兼制限組立体４５を外し、採血管２の底部へと沈殿測定管９を手動で押すことによって遂行される。
【００６１】
この例の実施形態では、沈殿測定管、採血管及び空気又は流体流制限プラグを、プラスチックの採血管などの製造に現在使用されている高品質の医療用プラスチックを使用して射出成形できる。ゴムキャップ５、ゴムプランジャ１３及びワッシャシール１９は、当技術分野でよく知られている方法で医療用ゴムから作成できる。
【００６２】
図１０のブロックＡ及びＢを参照し、次に本発明によるＥＳＲ測定方法を実施する際に含まれる工程について、第２例の実施形態に係るＥＳＲ試験測定計器を使用して詳細に説明する。
【００６３】
図１０のブロックＡで示すように、ＥＳＲ測定方法の第１工程は、図１１Ａで示すように、採血管のゴムキャップ５を通してルアー（登録商標）ロックタイプの採血装置２５の針を挿入することを含む。この接続装置は、沈殿測定及び採血管の周囲に設置された状態で維持される管保持具兼制限組立体とともにあり、空気又は流体流制限プラグ１９は、沈殿測定管９’の上部開口１７Ａ内に挿入されたままである。この方法の前記工程の間に使用する採血装置は通常、一方端がルアー（登録商標）ロック接続具に接続され、他方が皮下注射針２８で終了する可撓性管２７の区間を含む。皮下注射針は、被験者から安全に血液を引き抜くのに適切でなければならない。１つまたは複数の医療用接続具を、当技術分野でよく知られている方法で、採血管と皮下注射針の間に並べて挿入できる。皮下注射針が被験者の皮膚を穿孔したら、採血管２内の負圧が、人間の全血４０の所定試料を自動的に引き抜き、これは管２７を通って流れ、採血容器２を充填する。
【００６４】
図１０のブロックＢで示すように、この血液引き抜き作業中に、採血管２に入る血液４０は採血管内のある量の抗凝固薬と混合し、採血管内における血液試料の凝固を防止する。
【００６５】
図１０のブロックＣで示すように、採血管が、図１１Ｄ及び図１１Ｅで示すような計器の組立時に生成される真空によって所定の容積（例えば１ｍｌ）まで充填されるにつれ、被験者からの全血は採血測定管２への流入を停止し、これで針２８を被験者から外して、ルアー（登録商標）ロック接続具２５Ａを採血管２から引き抜き、外すことができる。
【００６６】
図１０のブロックＤで示すようにＥＳＲ測定方法の次の工程は、管保持具兼制限組立体４５を図１２Ａ１で示すような沈殿測定及び採血管から外すことを含む。これは、フランジカバー部分４５、４５の端部分に形成された可撓性シール部４７を手動で破壊し、次にカバー部分をその蝶番部４６の周囲で開放し、したがって組立体４５をＥＳＲ測定計器に伴うフランジ８の周囲から外して遂行される。保持具兼制限組立体４５が図１３で示すように外されると、ＥＳＲ測定計器をそのＥＳＲ測定構成へと再配置する準備が整う。そのために、使用者（例えば試験者または臨床医）は図１２Ａ２及び図１２Ａ３で示すように、空気又は流体流制限プラグ１８を沈殿測定管９’の上部開口から手動で外す。空気又は流体流制限プラグ１８を外すと、周囲の空気が沈殿測定管９’の内側容積部１０へと流入でき、したがってその圧力を周囲環境の空気圧と等しくできる。この例の実施形態では、ＥＳＲ測定構成中に中空内側容積部１０に沿って上昇し、これを占有すると、凝固防止された血液試料が血液希釈剤（例えば生理的ＮａＣｌ溶液またはクエン酸ナトリウム溶液）と混合して、ＥＳＲ測定計器の沈殿測定管部分から漏れることができないように、空気透過性で血液不透過性材３７を沈殿測定管の中空内側容積部の最初の２．５４ｃｍ（１インチ）程度以内で、上部開口１７Ａから丁度１．２７ｃｍ（１／２インチ）程度まで挿入する。
【００６７】
図１０のブロックＥで示すように、ＥＳＲ測定方法は、使用者（例えば試験者または臨床医）が従来の注射器を扱う場合のように、使用者の人差し指と中指の間に下部フランジ８を位置決めし、使用者の親指を頂部（つまり上部）フランジ１７上に位置決めした状態で、ＥＳＲ測定計器を手で把持することを含む。この計器取り扱い構成では、使用者が親指を使用して、図１３から図１５Ｂで示すように従来の注射器から液体を絞り出すのと丁度同じように、沈殿測定管９’を採血管２に押し込む。この動作によって、破断可能な膜１５が破断し、採血管２中の凝固防止された血液４０の試料が沈殿測定管９’の中空内側容積部へと強制的に突入して、そこに含まれる血液試料希釈剤（例えば生理的ＮａＣｌ溶液またはクエン酸ナトリウム溶液）と混合する。膜１５が、採血管２に押し込まれたゴムプランジャ１３に応答して破断するプロセスを、図１４Ｃに概略的に示す。図示のように、このプロセス中に、下方向の圧力の増加とともに表面下の静水圧が上昇するにつれて、膜１５は、膜材料が破損して破断する時点まで、ゴムプランジャ構成要素の側壁部分の全体的な構造的完全性を妥協することなく伸張する。沈殿測定管９’を採血管に押し込むと、その中の血液試料の圧力が上昇し、これによって凝固防止された血液試料が破断した膜１５を通って沈殿測定管の中空内側容積部に沿って流れる。それと同時に、プランジャ１５及びガスケット１９のゴム壁が高品質の液体シールを生成し、これは採血管の中空内側容積部と流体連通して配置された沈殿測定管の中空内側容積部によって生成された含有容積部の組み合わせからいかなる量の採血試料も漏れるのを防止する。
【００６８】
その後、カバー部分４５及び４５を、図１７Ａで示すように、底部フランジ８に再度取り付けて、次にカバー部分を図１７Ｂで示すようにスナップ留めして永久的に閉鎖する。図示のように再度取り付けると、カバー部分４５Ａ、４５Ｂの部分４５Ｄは、沈殿測定管９’上に形成された凹部５０Ｂにぴったり填り、沈殿測定管９’を採血管２内にしっかりロックする。この最終状態の構成では、ＥＳＲ測定計器に含まれた凝固防止血液試料の全体を、血液希釈剤（例えば生理的ＮａＣｌ溶液またはクエン酸ナトリウム溶液）２０と完全に混合して、血液の血漿／赤血球（Ｐ／Ｅ）境界面レベルが、垂直に支持された沈殿測定管中で重力の影響により沈殿し始める。それと同時に、希釈し凝固防止された全血試料を、ロックした計器内に安全に密封する（つまり閉じ込める）。ウェステルグレンなどの方法によるＥＳＲ測定を実施するには、ＥＳＲ測定計器を直立状態で位置決めし、例えば約６０分の期間、気泡があるうちに（例えばテーブル、実験室のベンチ、または他の安定した表面上に配置される）、支持口を有する完全に垂直な台に挿入する。この試験期間の最後に、血漿／赤血球（Ｐ／Ｅ）境界面レベルが６０分後に重力の影響でどこまで沈殿したかをミリメートル単位で測定する、つまり沈殿測定管の縦に沿って形成された校正済み目盛り１１に対して［ｍｍ／時］単位で測定することによって、正確なＥＳＲ測定値を読み取ることができる。
【００６９】
沈殿測定管に沿った校正済み目盛り１１に対して（つまりＰ／Ｅ境界面レベルの位置を読み取ることによって）ＥＳＲ測定を実施し、患者の医療記録に記録した後、ロックしたＥＳＲ測定計器を政府の規則及び／または安全基準に従って医療廃棄物として安全に廃棄できる。
【００７０】
本発明のＥＳＲ測定方法の間、採血試料は常に計器内に含まれるので、本発明のＥＳＲ測定計器を使用してＥＳＲ測定を実施する技術者には、危険があるとしても小さい。また、計器は基本的にロックされているので、漏れまたは環境汚染の危険性も実質的に最小限である。
【００７１】
［本発明のＥＳＲ測定計器の第３例の実施形態］図１８Ａ及び図１８Ｂには、採血構成内に配置された第３例の実施形態に係るＥＳＲ試験測定計器が図示されている。この例の実施形態では、沈殿測定管のプランジャ部分を採血管の上部分に挿入し、着脱式管保持具兼制限組立体によって採血管に対して静止した位置で保持し、図１２Ａ１から図１７Ｂで示した第２例の実施形態と全く同じ方法で構築し、組み立てる。しかし、この代替ＥＳＲ測定計器の設計では、ここで使用する加圧した採血管は、（ｉ）自身内に含まれる全血試料が採取後に凝固するのを防止する少量の抗凝固薬（つまりＫ３ＥＤＴＡ）と、（ｉｉ）ＥＳＲ試験前に全血の試料を希釈する血液希釈剤（例えば生理的ＮａＣｌ溶液またはクエン酸ナトリウム溶液）の容積部との両方を含む。このＥＳＲ測定計器は、上述したウェステルグレンまたは同様のＥＳＲ方法を実施するために使用することが好ましく、凝固防止された全血の採取試料の希釈は、ＥＳＲ測定の前に実行する。
【００７２】
［本発明のＥＳＲ測定計器の第４例の実施形態］図１９Ａ及び図１９Ｂには、採血構成内に配置された第４例の実施形態に係るＥＳＲ試験測定計器の第１斜視図が図示されている。この例の実施形態では、沈殿測定管のプランジャ部分を採血管の上部分に挿入し、着脱式管保持具兼制限組立体によって採血管に対して静止した位置で保持し、第２例の実施形態と全く同じ方法で構築し、組み立てる。これを図１２Ａ１から図１７Ｂで図示する。しかし、この代替ＥＳＲ測定計器の設計において、ここで使用する加圧した採血管は、自身内に含まれる全血試料が採取後に凝固するのを防止する少量の抗凝固薬（つまりＫ３ＥＤＴＡ）しか含まず、空気又は流体流密封沈殿測定管は、ＥＳＲ試験前に全血の試料を希釈するためのいかなる量の血液希釈剤（例えば生理的ＮａＣｌ溶液またはクエン酸ナトリウム溶液）をも含まない。このＥＳＲ測定計器は、ウェステルグレンのＥＳＲ方法とは異なり、凝固防止された全血の採取試料の希釈をＥＳＲ測定の前に実行しないウィントローブまたは同様のＥＳＲ方法で実施するために使用することが好ましい。
【００７３】
［計器の設計及び実施の考慮事項］上述した本発明のＥＳＲ試験測定計器の例の実施形態のいずれかを設計し、実施する場合、採血管及び沈殿測定管の実際の物理的寸法は、幾つかの要素に依存することが理解され、それは、（１）ＥＳＲ試験中に計器で採取し、処理すべき全血試料の実際の量、及び（２）ＥＳＲ測定計器を使用して実施すべきＥＳＲ試験方法（例えばウェステルグレン、ウィントローブなど）の特定のタイプ及び変形である。
【００７４】
（例えば成人患者の場合のように）多量の全血試料を採取できる用途では、採血管は、標準的容積（例えば１．０ｍｌ）の採取した全血及び微量のＫ３ＥＤＴＡ抗凝固薬を含むように設計でき、沈殿測定管は、血液希釈剤（例えば生理的ＮａＣｌ溶液またはクエン酸ナトリウム溶液）に加えて、この同じ量の凝固防止された血液を含み、血液希釈剤が１で凝固防止された血液を４という標準的割合で混合するように設計できる。使い捨てＥＳＲ試験測定計器の設計の最終的形状要素は、わずかに細長い注射器様計器に類似していることが好ましい。最終的なＥＳＲ測定計器の設計は、上記の「Reference and Selected Procedure For The Erythrocyte Sedimentation Rate (ESR) Test; Approved Standard」（第４版）（ＮＣＣＬＡ刊行物第Ｈ２Ａ４）と題した文書でＮＣＣＬＳが発表したように、標準的なウェステルグレンのＥＳＲ試験方法及び装置キットと照らし合わせて校正しなければならない。
【００７５】
（例えば幼児及び小児の場合のように）少量の全血試料しか採取できない用途では、採血管は、これより少量（例えば０．５ｍｌ）の採取した全血、及び微量のＫ３ＥＤＴＡ抗凝固薬を含むように設計でき、沈殿測定管は、血液希釈剤（例えば生理的ＮａＣｌ溶液またはクエン酸ナトリウム溶液）に加えて、この同じ量の凝固防止された血液を含み、血液希釈剤が１で凝固防止された血液を４という標準的割合で混合するように設計できる。使い捨てＥＳＲ試験測定計器構成の最終的形状要素は、わずかに細長い注射器様計器に類似していることが好ましい。最終的なＥＳＲ測定計器の設計は、上記の「Reference and Selected Procedure For The Erythrocyte Sedimentation Rate (ESR) Test; Approved Standard」（第４版）で発表されたように、標準的なウェステルグレンのＥＳＲ試験方法及び装置キットと照らし合わせて校正しなければならず、したがって本発明のＥＳＲ試験測定計器からの試験結果は、標準的なウェステルグレンのＥＳＲ試験方法から取得された試験結果と強力な相関関係を有する。
【００７６】
［想起される改造］以上で開示した使い捨てＥＳＲ試験測定計器の各実施形態は、破断可能な膜を有するゴムプランジャ要素を使用しているが、本発明の他の実施形態では、破断可能な膜を、破裂タイプのプラグまたは要素を使用して実現できることが理解され、これは、十分な血液試料の圧力に応答して破裂し、計器がそのＥＳＲ測定構成内に配置されると、血液試料が沈殿測定管を充填できるようにする。この破裂タイプのプラグまたは要素は、ＥＳＲ試験測定を妨害しないように、ゴムプランジャの壁に蝶番接続することが好ましい。本発明の全体的精神に従い、計器の沈殿測定管の中空内側容積部と採血管の中空内側容積部との間に配置されたこの感圧性血流弁構造を生成するために、他の方法及び手段を使用できることが明白である。
【００７７】
例の実施形態に係るＥＳＲ計器は、当業者にとって容易に明白になり、本明細書で開示した新規の教示の利点を有する様々な方法で改造できることが理解される。例の実施形態のこのような全ての改造及び変形は、請求の範囲によって定義された本発明の範囲及び精神に含まれるものとする。
【図面の簡単な説明】
【００７８】
【図１Ａ】本発明の携帯用で使い捨てのＥＳＲ測定計器の組立分解図であり、少量の抗凝固薬（例えばＥＤＴＡまたはクエン酸塩）を沈殿測定管の内側容積部に注入した後に、ゴムガスケットリングとゴムプランジャ要素が沈殿測定管の端部に取り付けられ、ゴムキャップが採血管の遠位端部に取り付けられ、その後に採血管を予め測定した量の抗凝固薬で充填してから、ＥＳＲ測定計器の組立中に真空状態で組立済み沈殿測定管のプランジャ端部を挿入することを示す。
【図１Ｂ】採血構成内に配置された状態で示す第１例の実施形態の携帯用かつ使い捨てのＥＳＲ測定計器の第１斜視図であり、沈殿測定管のプランジャ部分を採血管の上部分に挿入し、採血作業中に加圧した採血管内に生じる液体シールを破壊しないように、着脱式管保持部兼抑制組立体によって採血管に対して静止位置に維持する。
【図１Ｃ】図１Ｂで示すように採血構成内に配置された第１例の実施形態に係るＥＳＲ測定計器の第２斜視図であり、沈殿測定管の上部開口に挿入した空気又は流体流制限プラグが、沈殿測定管の上部分から突出するフランジを囲む沈殿測定管保持具兼抑制組立体の上部カバー部分内に形成された口を通って延在できる。
【図１Ｄ】図１Ｃの線１Ｄ−１Ｄに沿って切り取った第１例の実施形態に係るＥＳＲ測定計器の断面図であり、沈殿測定管のプランジャ部分は、採血管の上部分に挿入されて、管保持具兼抑制組立体によって加圧採血管に対して静止位置に保持され、沈殿測定管の上部開口に挿入した空気又は流体流制限プラグは、管保持具兼抑制組立体の上部カバー部分内に形成した口を通って延在でき、ＥＳＲ測定計器をその採血構成内に配置する間に、採血管内に生成された液体シールを破損しないように、上部カバー部分は、沈殿測定管の上部分から突出するフランジを囲み、下部カバー部分は、採血管の上部分から突出するフランジを囲む。
【図１Ｅ】図１Ｂの線１Ｅ−１Ｅに沿って切り取った第１例の実施形態に係るＥＳＲ測定計器の部分の断面拡大図であり、ＥＳＲ測定計器をその採血構成内に配置する間に、予め測定した量の血液試料希釈剤（例えば生理的ＮａＣｌ溶液またはクエン酸三ナトリウム溶液）を沈殿測定管内に保持するように、沈殿測定管のプランジャ部分が、中空の沈殿測定管の自由端部に取り付けたゴムプランジャ要素、及びゴムプランジャの遠位端でその端部開口を覆うゴムの脆弱膜を備えることをさらに詳細に示す。
【図１Ｆ】ＥＳＲ計器をその採血構成内に配置する間の沈殿管の斜視図であり、沈殿測定管の長さに沿った目盛りマークを示す。
【図２】第１例の実施形態に係るＥＳＲ測定計器を使用して実行する本発明のＥＳＲ測定方法に含まれる工程を示す流れ図を示す。
【図３Ａ】本発明の方法により静脈穿刺によって生きた人間から全血試料を引き抜くために、採血構成内に配置され、ヴァキュテーナ（商標）タイプの接続具に接続された状態で示す第１例の実施形態に係るＥＳＲ測定計器の斜視図である。
【図３Ｂ】ＥＳＲ測定計器の採血管に接続された状態で図示したヴァキュテーナ（商標）接続具、ゴムキャップを通して穿孔されている接続具の針、及び密封した採血管内に提供した予め測定した真空によって採血管に自動的に引き込まれている全血の試料がある第１例の実施形態に係るＥＳＲ測定計器の下部分の断面図である。
【図３Ｃ】ＥＳＲ測定計器の採血管に接続した状態で図示したヴァキュテーナ（商標）接続具、ゴムキャップを通して穿孔されている接続具の針、及び全血の試料で部分的に充填された採血管がある第１例の実施形態に係るＥＳＲ測定計器の断面図である。
【図３Ｄ】ＥＳＲ測定計器の採血管に接続した状態で図示したヴァキュテーナ（商標）接続具、ゴムキャップを通して穿孔されている接続具の針、及び全血の試料で完全に充填された採血管がある第１例の実施形態に係るＥＳＲ測定計器の断面図である。
【図３Ｅ】全血の試料で完全に充填した状態で示し、充填した採血管と希釈剤の間に集合的に液体シールを生成するゴムプランジャ、膜及びワッシャリングがあり、沈殿測定管を含む第１例の実施形態に係るＥＳＲ測定計器の採血管部分の拡大部分切り取り図である。
【図４Ａ】管保持具兼保持器組立体が計器の沈殿測定管及び採血管の周囲にロックした状態で、採血構成内に配置されて示した第１例の実施形態に係るＥＳＲ測定計器の斜視図である。
【図４Ｂ１】管保持具兼制限組立体の頂部カバー部分に設けられ、沈殿測定管の上部分から突出するフランジを囲むロックシール機構を示す図である。
【図４Ｂ２】着脱式の管保持具兼制限組立体の上部カバー部分に配置され、沈殿測定管の上部分から突出するフランジの周囲から上部カバー部分を外せるように折り取ったロックシール機構を示す図である。
【図５Ａ】上部及び底部カバー部分を開放し、沈殿測定管及び採血管構造の個々のフランジから外せるように、管保持具兼収容器組立体を計器の沈殿測定管及び採血管構造からロック解除した状態で採血構成内に配置されて示した第１例の実施形態に係るＥＳＲ測定計器の斜視図である。
【図５Ｂ】管保持具兼収容器組立体が計器の沈殿測定管及び採血管構造から外して図示され、その空気又は流体流制限プラグがまだ沈殿測定管の上部口内に挿入されている状態で、採血構成内に配置されて示した第１例の実施形態の携帯用／使い捨てＥＳＲ測定計器の斜視図である。
【図５Ｃ】ＥＳＲ測定計器の採血管構造内に手動で挿入するために沈殿測定管が配置された状態で、ＥＳＲ測定構成内に配置されて示した第１例の実施形態に係るＥＳＲ測定計器の斜視図である。
【図５Ｄ１】沈殿測定管の上部フランジ内に形成された上部開口に挿入した、図５Ｃで示した空気又は流体流制限プラグの斜視図である。
【図５Ｄ２】上部フランジ内に形成した上部開口から空気又は流体流制限プラグを外した、図５Ｃで示した沈殿測定管の上部フランジの斜視図である。
【図５Ｅ】管保持具兼収容器組立体を計器の沈殿測定管及び採血管構造から外した状態で示し、空気又は流体流制限プラグが沈殿測定管の上部開口から外した状態で、採血構成内に配置されて示した第１例の実施形態に係るＥＳＲ測定計器の斜視図である。
【図５Ｆ】管保持具兼収容器組立体をＥＳＲ測定計器の沈殿測定管及び採血管構造から外した状態で示し、空気又は流体流制限プラグを沈殿測定管の上部開口から外し、沈殿測定管を採血管へと下方向に手動でわずかに押し込んだ状態で、採血構成内に配置されて示した第１例の実施形態に係るＥＳＲ測定計器の斜視図である。
【図５Ｇ】図５Ｆで示したＥＳＲ測定計器の断面図であり、破断する前に伸張し、歪んでいるプランジャのゴムの端部にある膜を示す。
【図５Ｈ】図５Ｆの線５Ｈ−５Ｈに沿って切り取ったＥＳＲ測定計器の部分拡大図である。
【図６Ａ】管保持具兼収容器組立体が計器の沈殿測定管及び採血管構造から外した状態で図示し、空気又は流体流制限プラグを沈殿測定管の上部開口から外し、沈殿測定管を採血管へと下方向に手動で押し込んだ状態で、採血構成内に配置されて示した第１例の実施形態に係るＥＳＲ測定計器の斜視図である。
【図６Ｂ】図６Ａで示したＥＳＲ測定計器の断面図であり、破断したプランジャのゴムの端部にある膜、及び沈殿測定管の内側容積部に沿ってほぼ半ばまで挿入された採血管からの血液を示す。
【図６Ｃ】図６Ａの線に沿って切り取ったＥＳＲ測定計器の部分拡大図である。
【図６Ｄ】管保持具兼収容器組立体が、計器の沈殿測定管及び採血管構造から外した状態で図示され、空気又は流体流制限プラグを沈殿測定管の上部開口から外し、沈殿測定管を採血管の底部へと下方向に手動で押した状態で、採血構成内に配置されて示した第１例の実施形態に係るＥＳＲ測定計器の斜視図である。
【図６Ｅ】図６Ｄで示したＥＳＲ測定計器の断面図であり、破断したプランジャのゴムの端部にある膜、及び沈殿測定管の内側容積部の全長に沿って挿入された採血管からの血液を示す。
【図６Ｆ】図６Ｄの線６Ｆ−６Ｐに沿って切り取ったＥＳＲ測定計器の部分拡大図である。
【図７Ａ】管保持具兼収容器組立体を沈殿測定管及び採血管構造の周囲に設置し、したがってＥＳＲ測定の実行中及び実行後に採血容器内に含まれる採取血液の漏れを防止しながら、沈殿測定管に沿ってＥＳＲ測定値（つまり血漿／赤血球（Ｐ／Ｅ）境界面レベルが６０分以内に低下する距離）を読み取る前に、これらの構成要素を相互にしっかりロックできるような状態で、ＥＳＲ測定構成内に配置された第１例の実施形態に係るＥＳＲ測定計器の斜視図である。
【図７Ｂ】管保持具兼収容器組立体を沈殿測定管及び採血管構造の周囲に設置し、したがってＥＳＲ測定の実行中及び実行後に採血容器内に含まれる採取血液の漏れを防止しながら、沈殿測定管に沿ってＥＳＲ測定値（つまり血漿／赤血球（Ｐ／Ｅ）境界面レベルが６０分以内に低下する距離）を読み取る前に、これらの構成要素を相互にしっかりロックできるような状態で、ＥＳＲ測定構成内に配置された第１例の実施形態に係るＥＳＲ測定計器の斜視図である。
【図７Ｃ】管保持具兼収容器組立体を沈殿測定管及び採血管構造の周囲に設置し、したがってＥＳＲ測定の実行中及び実行後に採血容器内に含まれる採取血液の漏れを防止しながら、沈殿測定管に沿ってＥＳＲ測定値（つまり血漿／赤血球（Ｐ／Ｅ）境界面レベルが６０分以内に低下する距離）を読み取る前に、これらの構成要素を相互にしっかりロックできるような状態で、ＥＳＲ測定構成内に配置された第１例の実施形態に係るＥＳＲ測定計器の斜視図である。
【図８】第２例の実施形態の携帯用／使い捨てＥＳＲ測定計器の組立分解図であり、ある量の血液試料希釈剤を管の内側容積部に注入した後にゴムのガスケットリング及びプランジャ要素を沈殿測定管の端部に取り付けて、ゴムのストッパを採血管の遠位端に取り付け、次にＥＳＲ測定計器の組立中に組み立てて密封加圧した沈殿測定管のプランジャ端部に挿入する前に、採血管を予め測定した量の抗凝固薬で充填することを示す。
【図９Ａ】採血構成内に配置されて示した第２例の実施形態に係るＥＳＲ測定計器の第１斜視図であり、含まれる全血試料が採取後に凝固するのを防止するために、少量の抗凝固薬を含む加圧した採血管内に生じる液体シールを破壊しないように、沈殿測定管のプランジャ部分を採血管の上部分に挿入し、代替タイプの着脱式管保持具兼抑制組立体によって採血管に対して静止位置に保持する。
【図９Ｂ】図９Ａの線９Ｂ−９Ｂに沿って切り取った第２例の実施形態に係るＥＳＲ測定計器の断面図であり、ＥＳＲ測定計器をその採血構成内に配置する間に、採血管と沈殿測定管の間に生じる液体シールを破壊しないように、沈殿測定管のプランジャ部分を採血管の上部分に挿入し、管保持具兼抑制組立体によって加圧採血管に対して静止位置に保持する。
【図９Ｃ】図９Ｃの線９Ｃ−９Ｃに沿って切り取った第２例の実施形態に係るＥＳＲ測定計器の部分の断面拡大図であり、ＥＳＲ測定計器をその採血構成内に配置する間に、予め測定した量の血液試料希釈剤（例えば生理的ＮａＣｌ溶液またはクエン酸三ナトリウム溶液）を沈殿測定管内に保持するように、沈殿測定管のプランジャ部分が、中空の沈殿測定管の自由端部に取り付けたゴムプランジャ要素、及びゴムプランジャの遠位端でその端部開口を覆うゴムの脆弱膜を備えることをさらに詳細に示す。
【図１０】第２例の実施形態に係るＥＳＲ測定計器を使用して実行する本発明のＥＳＲ測定方法に含まれる工程を示す流れ図を示す。
【図１１Ａ】採血構成内に配置され、本発明により静脈穿刺によって生きた人間から全血試料を引き抜く間に使用するヴァキュテーナ（商標）タイプの接続具に接続された状態で示す第２例の実施形態に係るＥＳＲ測定計器の斜視図である。
【図１１Ｂ】ＥＳＲ測定計器の採血管に接続された状態で図示したヴァキュテーナ（商標）接続具、ゴムストッパを通して穿孔されている接続具の針、抗凝固薬（つまりＫ３ＥＤＴＡ）の試料を含む採血管がある第２例の実施形態に係るＥＳＲ測定計器の下部分の断面図である。
【図１１Ｃ】ＥＳＲ測定計器の採血管に接続した状態で図示したヴァキュテーナ（商標）接続具、ゴムストッパを通して穿孔されている接続具の針、及び全血の試料で部分的に充填された採血管がある第２例の実施形態に係るＥＳＲ測定計器の断面図である。
【図１１Ｄ】ＥＳＲ測定計器の採血管に接続した状態で図示したヴァキュテーナ（商標）接続具、ゴムストッパを通して穿孔されている接続具の針、及び全血の試料で完全に充填された採血管がある第２例の実施形態に係るＥＳＲ測定計器の断面図である。
【図１１Ｅ】全血の試料で完全に充填し、充填した採血管と空の沈殿測定管の間に集合的に液体シールを生成するゴムプランジャ、膜及びワッシャリングがある状態で示した、図１１ＤのＥＳＲ測定計器の採血管部分の拡大部分切り取り図である。
【図１２Ａ１】採血構造内に配置され、管保持具兼収容器組立体を計器の沈殿測定管及び採血管構造の周囲から（例えば熱可塑性密封タブを破壊することによって）ロック解除した状態で示した、第２例の実施形態の使い捨てＥＳＲ測定計器の斜視図である。
【図１２Ａ２】沈殿測定管の上部フランジに形成された口に挿入された空気又は流体流制限プラグの斜視図である。
【図１２Ａ３】空気又は流体流制限プラグを自身内に形成された上部開口内から外した状態の沈殿測定管の上部フランジの斜視図である。
【図１３】採血構成内に配置され、採血管を凝固防止された全血の試料で部分的に充填し、管保持具兼収容器組立体を、計器の沈殿測定管及び採血管構造から外し、空気又は流体流制限プラグを沈殿測定管の上部開口から外した状態で示した、第２例の実施形態に係るＥＳＲ測定計器の斜視図である。
【図１４Ａ】採血構成内に配置され、採血管を凝固防止された全血の希釈試料で部分的に充填し、着脱式の管保持具兼収容器組立体を計器の沈殿測定管及び採血管構造から外し、空気又は流体流制限プラグを沈殿測定管の上部開口から外し、沈殿測定管を丁度採血管へと下方向に手動でわずかに押し込み始めた状態で示した、ＥＳＲ測定計器の斜視図である。
【図１４Ｂ】図１４Ａで示したＥＳＲ測定計器の断面図であり、破断する前に流体の圧力で伸張し、歪んでいるプランジャのゴムの端部にある膜を示す。
【図１４Ｃ】図１４Ａの線１４Ｃ−１４Ｃに沿って切り取ったＥＳＲ測定計器の部分拡大図である。
【図１５Ａ】採血構成内に配置され、着脱式管保持具兼収容器組立体を計器の沈殿測定管及び採血管構造から外し、空気又は流体流制限プラグを沈殿測定管の上部開口から外し、沈殿測定管を採血管へと下方向に手動で押し込み、血液を強制的に採血管から沈殿測定管の中空内側容積部のほぼ半ばへ、及びそれに沿って流し、それに含まれる血液希釈剤（例えば生理的ＮａＣｌ溶液またはクエン酸ナトリウム溶液）と混合する状態で示した第２例の実施形態に係るＥＳＲ測定計器の斜視図である。
【図１５Ｂ】図１５Ａで示したＥＳＲ測定計器の断面図であり、破断したプランジャのゴムの端部にある膜、及び沈殿測定管の内側容積部に沿ってほぼ半ばまで挿入された採血管からの血液を示す。
【図１５Ｃ】図１５Ａの線１５Ｃ−１５Ｃに沿って切り取ったＥＳＲ測定計器の部分拡大図である。
【図１６Ａ】採血構成内に配置され、着脱式管保持具兼収容器組立体を計器の沈殿測定管及び採血管構造から外し、空気又は流体流制限プラグを沈殿測定管の上部開口から外し、沈殿測定管を採血管の底部へと下方向に手動で押し、それによってプランジャの膜が圧力で破断し、血液が採血管から沈殿測定管の全内側容積部に流入して、それに沿って上昇し、それに含まれる血液希釈剤と混合する状態で示した第２例の実施形態に係るＥＳＲ測定計器の斜視図である。
【図１６Ｂ】図１６Ａで示したＥＳＲ測定計器の断面図であり、破断したプランジャのゴムの端部にある膜、及び沈殿測定管の内側容積部の全長に沿って挿入された採血管からの血液を示す。
【図１６Ｃ】図１６Ａの線１６Ｃ−１６Ｃに沿って切り取ったＥＳＲ測定計器の部分拡大図である。
【図１７Ａ】ＥＳＲ測定の実行中及び実行後に、採血容器内に含まれた採取血液の漏れを防止しながら、沈殿測定管に沿ったＥＳＲ測定値を読み取る前、読み取る間、または読み取った後に、構成要素を相互にしっかりロックできるように、着脱式管保持具兼収容器組立体を沈殿測定管及び採血管構造の周囲に再度設置した状態で、ＥＳＲ測定構成内に配置された第２例の実施形態に係るＥＳＲ測定計器の斜視図である。
【図１７Ｂ】ＥＳＲ測定の実行中及び実行後に、採血容器内に含まれた採取血液の漏れを防止しながら、沈殿測定管に沿ったＥＳＲ測定値を読み取る前、読み取る間、または読み取った後に、構成要素を相互にしっかりロックできるように、着脱式管保持具兼収容器組立体を沈殿測定管及び採血管構造の周囲に再度設置した状態で、ＥＳＲ測定構成内に配置された第２例の実施形態に係るＥＳＲ測定計器の斜視図である。
【図１８Ａ】採血構成内に配置された状態で示した第３例の実施形態の使い捨てＥＳＲ測定計器の第１斜視図であり、（ｉ）採取後に自身に含まれた全血試料が凝固するのを防止する少量の抗凝固薬（つまりＫ３ＥＤＴＡ）、さらに（ｉｉ）ＥＳＲ試験の前に全血の試料を希釈する所定量の希釈剤（例えば生理的ＮａＣｌ溶液またはクエン酸ナトリウム溶液）を含む加圧採血管内で生じる液体シールを破壊しないように、空の沈殿測定管のプランジャ部分を採血管の上部分に挿入し、着脱式管保持具兼制限組立体によって採血管に対して静止位置に保持する。
【図１８Ｂ】図１８Ａの線１８Ｂ−１８Ｂに沿って切り取った第３例の実施形態の使い捨てＥＳＲ測定計器の断面図であり、計器を採血構成内に配置する間に、採血管内に生じる液体シールを破壊しないように、沈殿測定管のプランジャ部分を採血管の上部分に挿入し、管保持具兼制限組立体によって加圧採血管に対して静止位置に保持する。
【図１９Ａ】採血構成内に配置した状態で示した第４例の実施形態の使い捨てＥＳＲ測定計器の第１斜視図であり、採取後に自身内に含まれた希釈していない全血試料が凝固するのを防止するために、少量の抗凝固薬（つまりＫ３ＥＤＴＡ）しか含まない加圧採血管内で生じる液体シールを破壊しないように、空の沈殿測定管のプランジャ部分を採血管の上部分に挿入し、着脱式管保持具兼制限組立体によって採血管に対して静止位置に保持する。
【図１９Ｂ】図１９Ａの線１９Ｂ−１９Ｂに沿って切り取った第４例の実施形態に係るＥＳＲ測定計器の断面図であり、計器をその採血構成内に配置している間に採血管内に生じる液体シールを破壊しないように、沈殿測定管のプランジャ部分を採血管の上部分に挿入し、管保持具兼制限組立体によって加圧採血管に対して静止位置に保持する。
2006520907.tif 000003
2006520907.tif 000004
2006520907.tif 000005
2006520907.tif 000006
2006520907.tif 000007
2006520907.tif 000008
【図２】
2006520907.tif 000009
2006520907.tif 000010
2006520907.tif 000011
2006520907.tif 000012
2006520907.tif 000013
2006520907.tif 000014
2006520907.tif 000015
2006520907.tif 000016
2006520907.tif 000017
2006520907.tif 000018
2006520907.tif 000019
2006520907.tif 000020
2006520907.tif 000021
2006520907.tif 000022
2006520907.tif 000023
2006520907.tif 000024
2006520907.tif 000025
2006520907.tif 000026
2006520907.tif 000027
2006520907.tif 000028
2006520907.tif 000029
2006520907.tif 000030
2006520907.tif 000031
2006520907.tif 000032
2006520907.tif 000033
【図８】
2006520907.tif 000034
2006520907.tif 000035
2006520907.tif 000036
2006520907.tif 000037
【図１０】
2006520907.tif 000038
2006520907.tif 000039
2006520907.tif 000040
2006520907.tif 000041
2006520907.tif 000042
2006520907.tif 000043
2006520907.tif 000044
2006520907.tif 000045
【図１３】
2006520907.tif 000046
2006520907.tif 000047
2006520907.tif 000048
2006520907.tif 000049
2006520907.tif 000050
2006520907.tif 000051
2006520907.tif 000052
2006520907.tif 000053
2006520907.tif 000054
2006520907.tif 000055
2006520907.tif 000056
2006520907.tif 000057
【図１８Ａ】
2006520907.tif 000058
【図１８Ｂ】
2006520907.tif 000059
【図１９Ａ】
2006520907.tif 000060
【図１９Ｂ】
2006520907.tif 000061
【国際調査報告】
2006520907.tif 000062
2006520907.tif 000063